(57)【要約】  セルオン／オフを行うことができる場合、ＵＥ及びｅＮＢの動作が提供される。このような場合において、前記ＵＥは、前記下りリンクチャネル上で信号を受信し、前記下りリンクチャネル上で前記信号を処理することを行うことができる。付加的に、前記下りリンク上で前記信号は、前記セルがオフ−状態である場合、ディスカバリ信号を含み、前記ディスカバリ信号は、セル識別及び／又は測定のために使用される。【選択図】図７
2016535510.tif 000002
【特許請求の範囲】
【請求項１】
オン−オフ利用可能なセルを用いてユーザ装置ＵＥによる無線通信のための方法であって、
前記方法は、
下りリンクチャネルを介して信号を受信するステップと、
前記下りリンクチャネルを介して前記信号を処理するステップと、
を含み、
前記下りリンクを介しての前記信号は、前記セルがオフ状態である場合、ディスカバリ信号を含み、前記ディスカバリ信号は、セル識別及び／又は測定のために使用される信号である、無線通信のための方法。
【請求項２】
前記処理するステップは、前記セルがオフ状態であるか、またはオン状態であるかを決定するステップを含み、前記セルが非活性化された場合、前記セルがオフ状態であることと決定されるように、セル活性化に基づいて前記セルが決定される、請求項１に記載の無線通信のための方法。
【請求項３】
前記処理するステップは、前記セルがオフ状態であるか、またはオン状態であるかを決定するステップを含み、ブラインド検出、明示的シグナリング、または上位層シグナリングのうち、少なくとも１つに基づいて前記セルが決定される、請求項１に記載の無線通信のための方法。
【請求項４】
前記処理するステップは、前記セルがオフ状態である場合、ディスカバリ信号を伴うサブフレームで送信される信号を用いて測定を行うステップを含む、請求項１に記載の無線通信のための方法。
【請求項５】
前記処理するステップは、前記セルがオフ状態にない場合、または前記ＵＥが無線リンクモニタリングを行うように構成される場合、無線フレーム毎に非−ＤＲＸモードで無線リンク品質を評価するステップを含む、請求項１に記載の無線通信のための方法。
【請求項６】
前記処理するステップは、前記セルがオフ状態にない場合、または前記ＵＥが無線リンクモニタリングを行うように構成される場合、無線フレーム毎に非−ＤＲＸモードで無線リンク品質を評価するステップを含む、請求項１に記載の無線通信のための方法。
【請求項７】
オン−オフ利用可能なセルを用いる無線通信のためのユーザ装置ＵＥであって、
信号を送信及び受信するための無線周波数ＲＦユニットと、
前記ＲＦユニットと動作可能に連結されるプロセッサと、
を備え、
前記プロセッサは、前記ＲＦユニットを介して信号を送信するために構成され、
前記プロセッサは、前記セルがオフ状態である場合、ディスカバリ信号を含む下りリンクチャネルを介して信号を受信し、
前記ディスカバリ信号は、セル識別及び／又は測定のために使用される信号である、ユーザ装置。
【請求項８】
前記プロセッサは、セル活性化に基づいて前記セルがオフ状態であるか、またはオン状態であるかを決定し、前記プロセッサは、前記セルが非活性化された場合、前記セルをオフ状態であると決定する、請求項７に記載のユーザ装置。
【請求項９】
前記プロセッサは、ブラインド検出、明示的シグナリング、または上位層シグナリングのうち、少なくとも１つに基づいて前記セルがオフ状態であるか、またはオン状態であるかを決定する、請求項７に記載のユーザ装置。
【請求項１０】
前記プロセッサは、前記セルがオフ状態である場合、ディスカバリ信号を伴うサブフレームで送信される信号を用いて測定を行う、請求項７に記載のユーザ装置。
【請求項１１】
前記ＲＦユニットが前記セルからマルチメディアブロードキャスト／マルチキャストサービス（ＭＢＭＳ：ｍｕｌｔｉｍｅｄｉａ  ｂｒｏａｄｃａｓｔ／ｍｕｌｔｉｃａｓｔ  ｓｅｒｖｉｃｅ）を受信する場合、前記プロセッサは、セルをオン状態にあると決定する、請求項７に記載のユーザ装置。
【請求項１２】
前記プロセッサは、前記セルがオフ状態にない場合、または前記ＵＥが無線リンクモニタリングを行うように構成される場合、無線フレーム毎に非−ＤＲＸモードで無線リンク品質を評価する、請求項７に記載のユーザ装置。
【請求項１３】
前記プロセッサは、有効な下りリンク制御情報ＤＣＩが予め決定されたサブフレームで検出されない場合、下りリンクサブフレームの全てをオフ状態に決定する、請求項７に記載のユーザ装置。
【請求項１４】
前記プロセッサが活性化されたセルをオン状態にあるセルに決定し、非活性化されたセルをオフ状態にあるセルに決定した場合、前記プロセッサは、活性化されたセルに対してレガシィセル−特定参照信号（ＣＲＳ：ｃｅｌｌ−ｓｐｅｃｉｆｉｃ  ｒｅｆｅｒｅｎｃｅ  ｓｉｇｎａｌ）を利用して測定を行う、請求項７に記載のユーザ装置。
【請求項１５】
前記プロセッサは、免許帯域を有するセルをオン状態にあるセルと決定し、非免許帯域を有するセルをオフ状態にあるセルと決定する、請求項７に記載のユーザ装置。
【発明の詳細な説明】
【技術分野】
【０００１】
本発明は、無線通信に関し、より詳細には、セルオン・オフを行うための技法等に関する。
【背景技術】
【０００２】
３世代パートナーシッププロジェクト（３ＧＰＰ）ロングタームエボリューション（ＬＴＥ）は、ユニバーサルモバイルテレコミュニケーションシステム（ＵＭＴＳ）の向上したバージョンであり、及び３ＧＰＰリリース８である。前記３ＧＰＰ  ＬＴＥは、直交周波数分割多重接続を利用し、上りリンクで単一搬送波−周波数分割多重接続（ＳＣ−ＦＤＭＡ）を利用する。前記３ＧＰＰ  ＬＴＥは、４個のアンテナまでを有する多重入力多重出力（ＭＩＭＯ）を採択する。近年、前記３ＧＰＰ  ＬＴＥの向上した３ＧＰＰ  ＬＴＥ−ａｄｖａｎｃｅｄ（ＬＴＥ−Ａ）に対する議論が続けられている。
【０００３】
前記３ＧＰＰ  ＬＴＥ（Ａ）システムの商業化が最近になって加速化されている。前記ＬＴＥシステムは、音声サービスだけでなく、移動性を保障することに対し、高い品質及び高い容量を支援できるサービスに対するユーザの要求に対する応答としてより速く拡散されている。低送信遅延、高送信レート、及びシステム容量、並びに向上したカバレッジのために、前記ＬＴＥシステムが提供される。
【０００４】
前記ユーザのサービスの要求に対する容量を満たすために、帯域幅を増加させることが必須でありえ、周波数領域で複数の物理的に非−連続的な帯域をグループ化することにより、論理的により広い帯域が使用され得るような、効果を取得することを目標とする搬送波集成（ＣＡ：ｃａｒｒｉｅｒ  ａｇｇｒｅｇａｔｉｏｎ）技術、またはイントラ−ノード搬送波、またはインタ−ノード搬送波にわたった資源集成が断片化された（ｆｒａｇｍｅｎｔｅｄ）少ない帯域を効果的に用いるために開発されてきた。搬送波集成でグループ化された個別ユニット搬送波は、コンポーネント搬送波ＣＣとして知られている。インタ−ノード資源集成に対して、それぞれのノードに対して、搬送波グループＣＧが、１つのＣＧが多重ＣＣを有する場合を設定できる。それぞれのＣＣは、単一帯域幅及び中心周波数により定義される。
【０００５】
近年、非免許帯域で搬送波に付加して、非免許帯域で搬送波が搬送波集成に対してさらに考慮される。このような場合において、ＵＥは、免許帯域でのゼロまたは以上の搬送波及び非免許帯域でゼロまたは以上の搬送波で構成されることができる。媒体が多重機器により共有される非免許帯域の自分の特性及びこれによる連続的な送信が容易に実現可能でないことに起因して、非免許帯域で動作するｅＮＢからの不連続的な送信を仮定することが非常に自然である。本出願において具体化される本発明は、非免許帯域での搬送波に適用される。
【０００６】
複数のＣＣを介して広帯域でデータが送信され、そして／または受信されるシステムは、多重−コンポーネントシステム（多重−ＣＣシステム）またはＣＡ環境と呼ばれる。複数のＣＧを介して広帯域でデータが送信され、そして／または受信されるシステムは、インタ−ノード資源集成または二重連結環境と呼ばれる。前記多重−コンポーネント搬送波システム及び二重連結システムは、１つ以上の搬送波を用いることにより、狭帯域及び広帯域を共に行うことができる。例えば、それぞれの搬送波が２０ＭＨｚの帯域幅に対応する場合、最大１００ＭＨｚの帯域幅が５個の搬送波を用いることにより支援され得る。
【０００７】
このような環境において、無線通信の性能を向上させるために、相違したタイプのセルが用いられる。例えば、ユーザ装置は、複数のｅＮＢと信号を送信／受信することができる。このような場合において、ネットワーク同期化がチャネル品質などを向上させるために考慮される必要がある。
【発明の概要】
【発明が解決しようとする課題】
【０００８】
本発明の目的は、様々な状況下において、無線通信を効果的に行うための方法及び装置を提供することである。本発明の他の目的は、セル−オフを行うことができるセルがある場合、信号を受信し、そして／または送信するための方法及び装置を提供することである。
【０００９】
本発明の他の目的は、セルオン−オフを行うことができるセルがある場合、測定のようなプロセシングのための方法及び装置を提供することである。
【課題を解決するための手段】
【００１０】
本出願での本発明（等）の例は、オン−オフ利用可能であるか、または、不連続的に送信するセルを用いてユーザ装置ＵＥによる無線通信のための方法である。前記方法は、前記下りリンクチャネル上に前記信号を受信するステップ及び前記下りリンクチャネル上に前記信号を用いてプロセシングするステップを含むことができ、ここで、前記下りリンクチャネル上に前記信号は、前記セルがオフ−状態である場合、ディスカバリ信号を含み、前記ディスカバリ信号は、セル識別及び／又は測定のために使用される信号である。
【００１１】
本出願での本発明（等）の他の例は、オン−オフ利用可能なセルを有する無線通信のためのユーザ装置である。前記ＵＥは、信号を送信し、受信するための無線周波数ＲＦユニット、及び前記ＲＦユニットと動作されるように結合されるプロセッサを備え、前記プロセッサは、前記ＲＦユニットを介して信号を送信するために構成され、前記プロセッサは、前記セルがオフ−状態である場合、ディスカバリ信号を含む下りリンクチャネル上の信号を受信し、ここで、前記ディスカバリ信号は、セル識別及び／又は測定のために使用される信号である。
【発明の効果】
【００１２】
本発明によれば、ＵＥ及びｅＮＢは、非免許帯域で動作する搬送波を含む様々な状況下で無線通信を効果的に行うことができる。本発明によれば、ＵＥ及びｅＮＢは、ｅＮＢがセルオン−オフを行うことができる場合、信号を効果的に受信し、そして／または送信することを行うことができる。
【００１３】
本発明によれば、セルオン−オフを行うことができるセルがある場合、測定のようなプロセシングをＵＥが効果的に行う。
【図面の簡単な説明】
【００１４】
【図１】本発明が適用される無線通信システムを図示する。
【図２】本発明の例示的な実施形態に係る搬送波集成ＣＡに対する例示的な概念を図示する。
【図３】本発明が適用される無線フレームの構造を図示する。
【図４】本発明が適用される下り制御チャネルを図示する。
【図５】マクロセル及び小型セルへの二重連結の例示を図示する。
【図６】二重連結を支援するプロトコルアーキテクチャの例示を図示する。
【図７】本発明に係るＰＣｅｌｌ及びＳＣｅｌｌ送信の場合の例を記述する。
【図８】本出願において本発明に係るＵＥの動作の例示を簡略に記述するフローチャートである。
【図９】本出願において本発明（等）に係るｅＮＢＢＳの動作の例示を簡略に記述するフローチャートである。
【図１０】無線通信システムを簡略に記述するブロック図である。
【発明を実施するための形態】
【００１５】
図１は、本発明が適用される無線通信システムを図示する。前記無線通信システムは、進化された−ＵＭＴＳ地上無線アクセスネットワーク（Ｅ−ＵＴＲＡＮ）またはロングタームエボリューション（ＬＴＥ）／ＬＴＥ−Ａシステムとさらに呼ばれることができる。
【００１６】
前記Ｅ−ＵＴＲＡＮは、ユーザ装置ＵＥ（１０）に制御平面及びユーザ平面を提供する少なくとも１つの基地局ＢＳ（２０）を備える。前記ＵＥ（１０）は、固定されるか、または移動されることができ、移動局ＭＳ、ユーザ端末ＵＴ、加入者局ＳＳ、移動端末ＭＴ、無線機器などのような異なる用語と呼ばれることができる。前記ＢＳ（２０）は、一般に前記ＵＥ（１０）と通信する固定局であり、進化されたノード−Ｂ（ｅＮＢ）、基地トランシーバーシステムＢＴＳ、アクセスポイント、セル、ノード−Ｂ、またはノードなどのような、他の用語と呼ばれることができる。
【００１７】
無線通信システムに適用される多重接続技法には限定がない。すなわち、ＣＤＭＡ（Ｃｏｄｅ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ−Ｃａｒｒｉｅｒ  ＦＤＭＡ）、ＯＦＤＭ−ＦＤＭＡ、ＯＦＤＭ−ＴＤＭＡ、ＯＦＤＭ−ＣＤＭＡなどのような多重−接続方式が利用され得る。これらの変調技法は、通信システムの多重ユーザから受信された信号を復調して通信システムの容量を増加させる。上りリンク送信及び下りリンク送信に対して、相違した時間を用いることにより、送信が行われるＴＤＤ（時分割デュプレックス）方式及び相違した周波数を用いることにより、送信が行われるＦＤＤ（周波数分割デュプレックス）方式が利用され得る。
【００１８】
前記ＢＳ（２０）などは、Ｘ２インタフェースの手段により互いに連結される。前記ＢＳ（２０）などは、Ｓ１インタフェースの手段によりＥＰＣ（ｅｖｏｌｖｅｄ  ｐａｃｋｅｔ  ｃｏｒｅ）と連結され、より詳しくは、Ｓ１−Ｕを介してサービングゲートウェイ（３０；ｓｅｒｖｉｎｇ  ｇａｔｅｗａｙ、Ｓ−ＧＷ）と連結される。
【００１９】
ＥＰＣ（３０）は、ＭＭＥ、Ｓ−ＧＷ、及びＰ−ＧＷ（Ｐａｃｋｅｔ  Ｄａｔａ  Ｎｅｔｗｏｒｋ−Ｇａｔｅｗａｙ）を含む。前記ＭＭＥは、端末の接続情報や端末の能力に関する情報を有しており、このような情報は、ＵＥの移動性管理に主に使用される。前記Ｓ−ＧＷは、Ｅ−ＵＴＲＡＮを終端点として有するゲートウェイである。Ｐ−ＧＷは、ＰＤＮを終端点として有するゲートウェイである。
【００２０】
前記ＵＥ及び前記ネットワーク間の無線インタフェースプロトコルの層は、前記通信システムでよく知られた開放型システム間相互接続（Ｏｐｅｎ  Ｓｙｓｔｅｍ  Ｉｎｔｅｒｃｏｎｎｅｃｔｉｏｎ；ＯＳＩ）モデルの下位３個の層に基づいて第１の層Ｌ１、第２の層Ｌ２、及び第３の層Ｌ３に分類されることができる。これらの中で、前記第１の層に属する物理（ＰＨＹ）層は、物理チャネルを用いることにより、情報伝達サービスを提供し、前記ＵＥ及び前記ネットワーク間に無線資源を制御するために、前記第３の層に属する無線資源制御ＲＲＣ層が提供される。このために、前記ＲＲＣ層は、前記ＵＥ及び前記ネットワーク間にＲＲＣメッセージを交換する。
【００２１】
より詳しくは、ユーザ平面（Ｕ−平面）及び制御平面（Ｃ−平面）に対する無線プロトコルアーキテクチャが説明される。ＰＨＹ層は、上位層に物理チャネルを介して情報伝達サービスを提供する。前記ＰＨＹ層は、送信チャネルを介して前記ＰＨＹ層の上位層である媒体アクセス制御ＭＡＣ層に連結される。前記ＭＡＣ層及びＰＨＹ層間で前記送信チャネルを介してデータが伝達される。前記送信チャネルは、無線インタフェースを介してどの特性のデータがどのように送信されるかによって分類される。例えば、送信機のＰＨＹ層及び受信機のＰＨＹ層のような相違したＰＨＹ層間に、データが前記物理チャネルを介して伝達される。前記物理チャネルは、直交周波数分割多重（ＯＦＤＭ）方式を利用して変調されることができ、無線資源として時間及び周波数を活用することができる。
【００２２】
ＭＡＣ層の機能は、論理チャネル及び送信チャネル間のマッピング及び前記論理チャネルに属するＭＡＣサービスデータユニットＳＤＵの送信チャネルを介して物理チャネルに提供される送信ブロック上のマルチプレクシング／デ−マルチプレクシングを含む。前記ＭＡＣ層は、論理チャネルを介して無線リンク制御ＲＬＣ層にサービスを提供する。
【００２３】
前記ＲＬＣの機能は、ＲＬＣ  ＳＤＵ連接、セグメンテーション、及び再組合を含む。無線ベアラーＲＢにより要求される様々なサービス品質ＱｏＳを保障するために、前記ＲＬＣ層は、例えば、透明モードＴＭ、非確認応答モードＵＭ、及び確認応答モードＡＭのような３つの動作モードを提供する。前記ＡＭ  ＲＬＣは、自動再送要求ＡＲＱを用いることにより、エラー訂正を提供する。
【００２４】
前記ユーザ平面でのパケットデータコンバージェンスプロトコルＰＤＣＰ層の機能は、ユーザデータ伝達、ヘッダ圧縮、及び暗号化を含む。前記制御平面でのＰＤＣＰ層の機能は、制御−平面データ伝達及び暗号化／完全性保護を含む。
【００２５】
無線資源制御ＲＲＣ層は、前記制御平面内のみで定義される。無線ベアラーＲＢｓの構成、再構成、及び解除と連関される前記物理チャネル、前記送信チャネル、及び前記論理チャネルを制御するために、前記ＲＲＣが提供される。ＲＢは、前記ＵＥ及び前記ネットワーク間にデータ伝達のための前記第１の層（例えば、前記ＰＨＹ層）及び前記第２の層（例えば、前記ＭＡＣ層、前記ＲＬＣ層、及び前記ＰＤＣＰ層）により提供される論理的な経路である。
【００２６】
前記ＲＢのこのような設定は、特定サービスを提供するための無線プロトコル層及びチャネル属性を特定し、それぞれの詳細パラメータ及び動作を決定するためのプロセスを意味する。前記ＲＢは、シグナリングＲＢ（ＳＲＢ）及びデータＲＢ（ＤＲＢ）のような２つのタイプに分類されることができる。前記ＳＲＢは、前記制御平面でＲＲＣメッセージを送信するための経路として使用される。前記ＤＲＢは、前記ユーザ平面でユーザデータを送信するための経路として使用される。
【００２７】
前記ＵＥのＲＲＣ層と前記ネットワークのＲＲＣ層との間にＲＲＣ連結が設定される場合、前記ＵＥは、ＲＲＣ連結状態（ＲＲＣ連結されたモードとさらに呼ばれることができ、それとも、前記ＵＥは、ＲＲＣ遊休状態（ＲＲＣ遊休モードとさらに呼ばれることができる）にある。
【００２８】
図２は、本発明の例示的な実施形態に係る搬送波集成（ＣＡ：ｃａｒｒｉｅｒ  ａｇｇｒｅｇａｔｉｏｎ）に対する例示的な概念を図示する。
【００２９】
図２に示すように、多重ＣＣが集成される（このような例において、３個の搬送波が存在する）３ＧＰＰ  ＬＴＥ−Ａ（ＬＴＥ−Ａｄｖａｎｃｅｄ）システムで考慮される前記下りリンクＤＬ／上りリンクＵＬサブフレーム構造が図示され、ＵＥは、同じ時間に多重ＤＬ  ＣＣからＤＬ信号／データをモニタリングし、受信することができる。しかし、セルがＮ個のＤＬ  ＣＣを測定するにもかかわらず、前記ＤＬ信号／データの前記ＵＥのモニタリングは、Ｍ個のＤＬ  ＣＣに限定されるように、前記ネットワークは、Ｍ個のＤＬ  ＣＣを用いてＵＥを構成することができる。付加的に、ＵＥ−特定的にまたはセル−特定的に、優先順位を利用してＤＬ信号／データを、前記ＵＥがモニタリング／受信することから前記ネットワークは、Ｌ個のＤＬ  ＣＣを主ＤＬ  ＣＣで構成することができ、ここで、Ｌ≦Ｍ≦Ｎである。したがって、前記ＵＥは、ＵＥの能力によって１つ以上の搬送波（搬送波１またはそれ以上の搬送波２．．．Ｎ）を支援することができる。
【００３０】
搬送波またはセルは、活性化されるか否かに依存して主コンポーネント搬送波ＰＣＣ及び副コンポーネント搬送波ＳＣＣに区分される。ＰＣＣは、常に活性化され、ＳＣＣは、特定条件に応じて活性化されるか、または非活性化される。すなわち、Ｐセル（主サービングセル）は、ＵＥがいくつかのサービングセル間に連結（または、ＲＲＣ連結）を初期に設定する資源である。前記Ｐセルは、複数のセル（ＣＣ）に関するシグナリングのために連結（または、ＲＲＣ連結）として提供され、前記ＵＥと連結される連結情報であるＵＥコンテキストを管理するための特別ＣＣである。また、前記ＰセルＰＣＣが、前記ＵＥと前記連結を設定することにより、ＲＲＣ連結モードにある場合、前記ＰＣＣは、活性化状態で常に存在する。Ｓセル（副サービングセル）は、前記ＰセルＰＣＣでない、前記ＵＥに割り当てられる資源である。前記Ｓセルは、前記ＰＣＣに付加して、付加的な資源割当などのために拡張された搬送波であり、活性化状態及び非活性化状態に分類されることができる。前記Ｓセルは、初期に非活性化状態にあることができる。前記Ｓセルが非活性化される場合、前記Ｓセルは、前記Ｓセル上にサウンディング参照信号ＳＲＳを送信せず、前記Ｓセルに対するプリコーディングマトリックス指示子ＰＭＩ／ランク指示子ＲＩ／プロシージャ処理識別子ＰＴＩを報告せず、前記Ｓセル上にＵＬ−ＳＣＨを送信せず、前記Ｓセル上に前記ＰＤＣＣＨをモニタリングせず、前記Ｓセルのために、前記ＰＤＣＣＨをモニタリングしないことを含む。前記ＵＥは、前記Ｓセルを活性化または非活性化する、このようなＴＴＩで活性化／非活性化ＭＡＣ制御要素を受信する。
【００３１】
ユーザスループットを向上させるために、ＵＥが１つより多い搬送波グループを有するように構成され得る場合、１つより多いｅＮＢ／ノードを介して相互−ノード資源集成を許すことがさらに考慮される。それは、特別に非活性化され得るそれぞれの搬送波グループ毎に構成化されたＰセルである。言い替えれば、それぞれの搬送波グループ当り、Ｐセルは、一応ＰセルがＵＥに構成されれば、常に自分の状態を活性化されるように維持することができる。そのような場合において、マスターＰセルであるサービングセルインデックス０を含まないセルグループでＰセルに対応するサービングセルインデックスｉは、活性化／非活性化のために用いられることができない。
【００３２】
より詳しくは、サービングセルインデックス０、１、２が１つの搬送波グループで構成されることに対し、サービングセルインデックスが０であれば、Ｐセルであり、サービングセルインデックスが３であれば、第２の搬送波グループのＰセルである場合、サービングセルインデックス３、４、５は、２つの搬送波グループシナリオで他の搬送波グループにより構成される場合、１及び２に対応するビットだけが前記第１の搬送波グループセル活性化／非活性化メッセージに対して有効なことと仮定されることに対し、４及び５に対応するビットは、前記第２の搬送波グループセル活性化／非活性化に対して有効なことと仮定される。前記第１の搬送波グループ及び前記第２の搬送波グループに対するＰセル間に一部区分のために、前記第２の搬送波グループに対する前記Ｐセルは、以後にはＳ−ＰＣｅｌｌとして表示されることができる。ここで、前記サービングセルのインデックスは、それぞれのＵＥに対して相対的に決定された論理的なインデックスでありうるか、または特定周波数帯域のセルを指示するための物理インデックスでありうる。前記ＣＡシステムは、セルフ−搬送波スケジューリングの非−相互搬送波スケジューリング、または相互搬送波スケジューリングを支援する。
【００３３】
図３は、本発明が適用される無線フレームの構造を図示する。
【００３４】
図３に示すように、無線フレームは、１０個のサブフレームを含み、１つのサブフレームは、２個のスロットを含む。１つのサブフレームが送信されるのにかかる時間は、送信時間インターバルＴＴＩと呼ばれる。例えば、１つのサブフレームの長さは、１ミリ秒でありうるし、１つのスロットの長さは、０．５ミリ秒でありうる。
【００３５】
１つのスロットは、時間領域で複数のＯＦＤＭシンボルを含み、周波数領域で複数の資源ブロック（ＲＢなど）を含む。ＯＦＤＭシンボルは、３ＧＰＰ  ＬＴＥシステムで下りリンクＯＦＤＭＡが使用される１つのシンボル周期を表現するためのものであり、ＳＣ−ＦＤＭＡシンボルまたは多重−接続方式に依存するシンボル周期と呼ばれることができる。ＲＢは、資源割当ユニットであり、１つのスロット内で複数の連続する副搬送波を含む。１つのスロット内に含まれるＯＦＤＭシンボルの個数は、ＣＰ（サイクリックプレフィックス）の構成によって変更可能とすることができる。前記ＣＰは、拡張ＣＰ及び正常ＣＰを含む。例えば、正常ＣＰの場合に、前記ＯＦＤＭシンボルは７で構成される。前記拡張ＣＰで構成される場合、１つのスロット内に６個のＯＦＤＭシンボルを含む。速いペースのＵＥで移動するようにチャネル状態が不安定な場合、シンボル−間干渉を減少させるために、前記拡張ＣＰが構成され得る。ここで、前記無線フレームの構造は単に例示的であり、無線フレーム内に含まれるサブフレームの個数、またはサブフレーム内に含まれるスロットの個数、及びスロット内に含まれるＯＦＤＭシンボルの数は、新しい通信システムを適用するために様々な方法で変更されることができる。本発明は、特定特徴を変更可能とすることにより、他のシステムに変形されるのに限界がなく、本発明の実施形態は、対応するシステムに変形可能な方式で適用されることができる。
【００３６】
前記下りリンクスロットは、前記時間領域内に複数のＯＦＤＭシンボルを含む。例えば、１つの下りリンクスロットは、７個のＯＦＤＭＡシンボルを含むことが図示され、１つの資源ブロックＲＢは、周波数領域で１２個の副搬送波を含むことが図示されるが、これに限定されるものではない。資源グリッド上のそれぞれの要素は、資源要素ＲＥと呼ばれる。１つの資源ブロックは、１２×７（または、６個）のＲＥを含む。下りリンクスロットに含まれる資源ブロックのＮＤＬの個数は、セルに設定される下りリンク送信帯域に依存する。ＬＴＥで考慮される帯域幅は、１．４ＭＨｚ、３ＭＨｚ、５ＭＨｚ、１０ＭＨｚ、１５ＭＨｚ、及び２０ＭＨｚである。前記帯域幅が資源の数により表現される場合、前記資源の数は、各々６、１５、２５、５０、７５、及び１００である。
【００３７】
サブフレーム内で前記第１のスロットのうち、前者の０または１または２または３ＯＦＤＭシンボルが制御チャネルと整列される制御領域に対応し、残りのＯＦＤＭシンボルは、物理下りリンク共有チャネルＰＤＳＣＨが割り当てられるデータ領域となる。下りリンク制御チャネルの例は、物理制御フォーマット指示子チャネルＰＣＦＩＣＨ、物理下りリンク制御チャネルＰＤＣＣＨ、及び物理ハイブリッド−ＡＲＱ指示子チャネルＰＨＩＣＨを含む。
【００３８】
前記サブフレームの第１のＯＦＤＭシンボル内で送信される前記ＰＣＦＩＣＨは、前記サブフレーム内で制御チャネルの送信のために使用されるＯＦＤＭシンボルの個数（例えば、前記制御領域の大きさ）に関する制御フォーマット指示子ＣＦＩを伴い、すなわち、前記サブフレーム内で制御チャネルの送信のために使用されるＯＦＤＭシンボルの個数に関する情報を伴う。前記ＵＥは、前記ＰＣＦＩＣＨを介して前記ＣＦＩを先に受信した後、前記ＰＤＣＣＨをモニタリングする。
【００３９】
前記ＰＨＩＣＨは、上りリンクハイブリッド自動再送要求承認ＨＡＲＱに応答して、確認応答（ＡＣＫ）／非−確認応答（ＮＡＣＫ）信号を伴う。すなわち、ＵＥにより送信された上りリンクデータに対するＡＣＫ／ＮＡＣＫ信号は、ＰＨＩＣＨを介して送信される。
【００４０】
ＰＤＣＣＨ（または、ｅＰＤＣＣＨ）は、下りリンク物理チャネルであり、ＰＤＣＣＨは、前記資源割当に関する情報、下りリンク共有チャネル（ＤＬ−ＳＣＨ）の送信フォーマット、上りリンク共有チャネル（ＵＬ−ＳＣＨ）の資源割当に関する情報、ページングチャネルＰＣＨに関するページング情報、ＤＬ−ＳＣＨに関するシステム情報、特定ＵＥグループ内にあるＵＥに対する送信電力制御命令等のセット、ボイスオーバーインタネットプロトコルＶｏＩＰ及びＰＤＳＣＨ上に送信されるランダムアクセス応答などのような、上位層制御メッセージの前記資源に関する情報を伴う。複数のＰＤＣＣＨは、前記制御領域内で送信されることができ、ＵＥは、複数のＰＤＣＣＨをモニタリングすることができる。前記ＰＤＣＣＨは、１つの制御チャネル要素ＣＣＥまたは一部連続するＣＣＥの集成を介して送信される。ＣＣＥは、ＰＤＣＣＨに無線チャネルの状態に応じてコーディングレートを提供するための論理割当である。前記ＣＣＥは、複数の資源要素グループＲＥＧに対応する。前記ＰＤＣＣＨのフォーマット及び利用可能なＰＤＣＣＨのビット数は、ＣＣＥの数及び前記ＣＣＥにより提供されるコーディングレート間に相関度によって決定される。
【００４１】
本発明の前記無線通信システムは、物理下りリンク制御チャネルＰＤＣＣＨ検出に対してブラインドデコードを用いる。前記ブラインドデコードは、ＣＲＣエラーチェックを行うことにより、前記ＰＤＣＣＨが自分固有のチャネルにあるか否かを決定するために、ＰＤＣＣＨのＣＲＣから所望の識別子がデ−マスクされる(de-masked)という方式である。ｅＮＢは、ＵＥに送信される下りリンク制御情報ＤＣＩによってＰＤＣＣＨフォーマットを決定する。それから、前記ｅＮＢは、前記ＤＣＩにサイクリックリダンダンシチェックＣＲＣを付着し、前記ＰＤＣＣＨの利用または所有者によって前記ＣＲＣに（無線ネットワーク臨時識別子ＲＮＴＩと呼ばれる）固有の識別子をマスクする。例えば、前記ＰＤＣＣＨが特定ＵＥのためのものである場合、前記ＵＥの固有な識別子（例えば、セル−ＲＮＴＩ（Ｃ−ＲＮＴＩ））が前記ＣＲＣにマスクされ得る。代案的に、前記ＰＤＣＣＨがページングメッセージのためのものである場合、ページング指示識別子（例えば、ページング−ＲＮＴＩ（例えば、Ｐ−ＲＮＴＩ））が前記ＣＲＣにマスクされ得る。前記ＰＤＣＣＨがシステム情報（より詳しくは、下記に記述されるシステム情報ブロックＳＩＢ）のためのものである場合、システム情報識別子及びシステム情報ＲＮＴＩ（例えば、ＳＩ−ＲＮＴＩ）が前記ＣＲＣにマスクされ得る。前記ＵＥのランダムアクセスプリアンブルの送信に対する応答であるランダムアクセス応答を指示するために、ランダムアクセス−ＲＮＴＩ（例えば、ＲＡ−ＲＮＴＩ）が前記ＣＲＣにマスクされ得る。
【００４２】
したがって、前記ＢＳは、前記ＵＥに送信される下りリンク制御情報ＤＣＩに応じてＰＤＣＣＨフォーマットを決定し、制御情報にサイクリックリダンダンシチェックＣＲＣを付着する。前記ＤＣＩは、上りリンクまたは下りリンクスケジューリング情報を含むか、または任意のＵＥグループに対する上りリンク送信Ｔｘ電力制御命令を含む。前記ＤＣＩは、自分のフォーマットに依存して相違して使用され、前記ＤＣＩ内で定義される相違したフィールドをさらに有する。
【００４３】
一方、上りリンクサブフレームは、上りリンク制御情報を伴う物理上りリンク制御チャネルＰＵＣＣＨが割り当てられる制御領域に分けられることができ、前記制御情報は、下りリンク送信のＡＣＫ／ＮＡＣＫ応答を含む。ユーザデータを伴う物理上りリンク共有チャネルＰＵＳＣＨに対するデータ領域は、前記周波数領域で割り当てられる。
【００４４】
前記ＰＵＣＣＨは、多重フォーマットを支援することができる。すなわち、前記ＰＵＣＣＨは、変調方式によってサブフレーム当り、相違したビットの数を有する上りリンク制御情報を送信することができる。ＰＵＣＣＨフォーマット１は、スケジューリング要求ＳＲを送信するのに使用され、ＰＵＣＣＨフォーマット１ａ及び１ｂは、ＨＡＲＱ  ＡＣＫ／ＮＡＣＫ信号を送信するのに使用される。ＰＵＣＣＨフォーマット２は、チャネル品質指示子ＣＱＩを送信するのに使用される。ＨＡＲＱ  ＡＣＫ／ＮＡＣＫのみ送信される場合、ＰＵＣＣＨフォーマット１ａ及び１ｂが使用され、ＳＲのみ使用される場合、ＰＵＣＣＨフォーマット１が使用される。ＨＡＲＱ  ＡＣＫ／ＮＡＣＫのみ使用される場合に、ＰＵＣＣＨフォーマット１ａ及び１ｂが使用され、ＳＲのみ送信される場合、ＰＵＣＣＨフォーマット１が使用される。ＴＤＤシステム、及び／又はＦＤＤシステムに対してＰＵＣＣＨフォーマット３が使用され得る。４個のビットより少ない信号を送信するために、ＰＵＣＣＨフォーマット３がさらに使用されるにもかかわらず、４個より多いビットを効率的な方法で送信する可能性をイネーブルするために、ＰＵＣＣＨフォーマット３が使用され得る。ＰＵＣＣＨフォーマット３の基本は、ＤＦＴ（離散フーリエ変換）−プリコーディングされたＯＦＤＭである。前記シーケンスの一要素により乗じられるスロット内にあるデータを伴う５個のＯＦＤＭシンボルの各々で長さ−５直交シーケンスが使用される場合、５個までの端末がＰＵＣＣＨフォーマット３に対して同じ資源−ブロック対を共有できる。端末（ｅＮＢ及び／又はＵＥ）は、ＰＵＣＣＨフォーマット３に対して１つより多い資源（例えば、４個の相違した資源）で構成されることができる。
【００４５】
ここで、ｅＰＤＣＣＨは、ＰＤＣＣＨ送信に対する限定のソリューションまたは図４に示されたように、新しいタイプの搬送波を含む近未来通信の新しい制御情報送信のうち、１つでありうる。
【００４６】
図４は、本発明が適用される下りリンク制御チャネルを図示する。前記ＰＤＣＣＨと多重化され得る前記ｅＰＤＣＣＨは、前記ＣＡの多重Ｓセルを支援することができる。
【００４７】
図４に示すように、前記ＵＥは、前記制御情報及び／又はデータ領域内で複数のＰＤＣＣＨ／ｅＰＤＣＣＨをモニタリングすることができる。前記ＰＤＣＣＨがＣＣＥ上で送信されるので、ｅＰＤＣＣＨは、一部連続するＣＣＥの集成としてｅＣＣＥ（向上したＣＣＥ）上で送信されることができ、前記ｅＣＣＥは、複数のＲＥＧに対応する。ｅＰＤＣＣＨがＰＤＣＣＨより効率的な場合、単にｅＰＤＣＣＨがＰＤＣＣＨ無しで使用されるサブフレームを有することが、価値がありうる。前記ＰＤＣＣＨ及び新しいｅＰＤＣＣＨのみのサブフレーム、またはｅＰＤＣＣＨのみのサブフレームを有することがレガシィＬＴＥサブフレームを有するＮＣとして新しいタイプの搬送波でありうる。ＭＢＳＦＮサブフレームが新しい搬送波ＮＣに存在することが依然として仮定される。ＮＣでＰＤＣＣＨをマルチメディアブロードキャスト単一周波数ネットワークＭＢＳＦＮサブフレームとして利用するか否か、及び使用されるならば、どれくらい多くのＯＤＦＭシンボルが割り当てられるかがＲＲＣシグナリングを介して構成され得る。また、ＴＭ１０及びＵＥの新しいＴＭモードがさらに新しい搬送波タイプに対して考慮され得る。ここから、新しい搬送波タイプは、レガシィ信号等の全部または部分が相違した方式で送信されるか、または省略され得る搬送波を指す。例えば、新しい搬送波は、セル−特定共通参照信号ＣＲＳが一部サブフレームで省略され得るか、または物理ブロードキャストチャネルＰＢＣＨが送信され得ない場合を指すことができる。
【００４８】
図５は、マクロセル及び小型セルへの二重連結の例示を図示する。図５に示すように、前記ＵＥは、前記マクロセル及び前記小型セルに連結される。前記マクロセルをサービングするマクロセルｅＮＢは、二重連結でＭｅＮＢと呼ばれることができ、前記小型セルをサービングする小型セルｅＮＢは、二重連結でＳｅＮＢと呼ばれることができる。
【００４９】
前記ＭｅＮＢは、少なくともＳ１−ＭＭＥで終点となるｅＮＢであるから、二重連結においてコアネットワークＣＮに向ける移動性アンカーとして動作する。マクロｅＮＢが存在する場合、前記マクロｅＮＢは、前記ＭｅＮＢとして一般的に動作できる。前記ＳｅＮＢは、二重連結において、前記ＭｅＮＢでない、前記ＵＥに対して付加的な無線資源を提供するｅＮＢである。前記ＳｅＮＢは、最善努力（ＢＥ：ｂｅｓｔ  ｅｆｆｏｒｔ）タイプトラフィックを送信するために一般的に構成されることに対し、前記ＭｅＮＢは、他のタイプのＶｏＩＰ、ストリーミングデータ、またはシグナリングデータに対して責任がありうる。
【００５０】
図６は、二重連結を支援するプロトコルアーキテクチャの例を図示する。二重連結を支援するために、様々なプロトコルアーキテクチャが研究されてきた。
【００５１】
図６に示すように、例えば、前記ＭｅＮＢでのＰＤＣＰエンティティ及び前記ＳｅＮＢでのＲＬＣエンティティのような相違したネットワークノードにＰＤＣＰ及びＲＬＣエンティティが位置される。前記ＵＥ側で、前記プロトコルアーキテクチャは、それぞれのｅＮＢ（例えば、前記ＭｅＮＢ及びＳｅＮＢ）に対して前記ＭＡＣエンティティが設定されることを除き、先行技術と同一である。
【００５２】
一方、ＵＥは、一部状況下で１つより多いセルに信号を送信することができ、また、１つより多いセルから信号を受信することができる。例えば、前記ＵＥは、二重連結を利用して信号を送信／受信することができる。
【００５３】
このような場合において、セル識別及び／又は測定のために使用されるディスカバリ信号を除き、ＵＥが任意の他の信号を受信するように期待できないことと定義される「オフ−状態」下で小型セルは「オフ」及び「オン」を行うことができる。しかし、ユニキャストデータ送信のために使用されない他の信号が依然として存在できるということが注目される。例えば、ポジショニング参照信号（ＰＲＳ：ｐｏｓｉｔｉｏｎｉｎｇ  ｒｅｆｅｒｅｎｃｅ  ｓｉｇｎａｌ）またはＰＭＣＨ−関連信号が依然として送信され得る。すなわち、前記セルがＯＦＦである場合、ＳＩＢ及びＰＢＣＨのような一部システム情報を含むユニキャスト−関連信号は送信されないことができる。前記ディスカバリ信号は、セル同期／識別信号及び／又は測定のための参照信号でありうる。
【００５４】
前記ネットワークが他の信号を送信するか否かは、前記ネットワークにかかっている。それにもかかわらず、前記ディスカバリ信号以外に、他の信号の送信が構成されるか／指示されるか／スケジューリングされないならば、ＵＥは、任意の他の信号がオフ−状態で送信され得るということを仮定しない。伝統的に、ｅＮＢが信号を連続して送信するであろうという仮定に基づいてＵＥは行動することができる。したがって、不連続受信（ＤＲＸ：ｄｉｓｃｏｎｔｉｎｕｏｕｓ  ｒｅｃｅｐｔｉｏｎ）及びページングのような全てのプロトコルは、時間を受信するＵＥによってｅＮＢが少なくとも参照信号を送信できるという仮定に基づく。
【００５５】
これから、セルは、自分の送信をオン及びオフできるので、ターンオフのレベルに依存して、ＵＥがセル−オフの状態を知る必要がある場合がありうるので、ＵＥは、前記オフ−状態で信号のセットを受信するように期待する必要がない。
【００５６】
一例は、伝統的にＵＥが任意のサブフレームで測定を行う場合のような測定参照信号（ＲＳ：ｒｅｆｅｒｅｎｃｅ  ｓｉｇｎａｌ）であることに対し、セルオン／オフを用いて、ＵＥは、前記測定のための周期または前記測定のためのサブフレームのセット内で測定を行うように限定されることができる。それとも、ｅＮＢは、セル状態（例えば、前記セルのオン／オフ状態）に関係なく、このような機能を支援する必要がありうる。
【００５７】
前記ネットワークが連続ＣＲＳを送信できない非免許帯域で搬送波を考慮することは、前記セルが任意の付加的な情報無しで免許帯域でオン／オフを行うことが仮定される。しかし、何らかの理由でターンオフされないか、または連続的に信号を送信するであろうということを非免許帯域での搬送波が指示できる。潜在的な理由は、前記チャネルが遊休（ｉｄｌｅ）であり、前記チャネルを活用する唯一の機器がＬＴＥ  ｅＮＢであるということである。それから、前記セルをターンオフすることが要求されないということが指示され得るし、また、前記ＵＥに指示されるであろう。ＵＥがこのように指示される場合、前記サブフレームがＵＥ実現により選択される場合、測定／同期を連続的に行うことができる。
【００５８】
セルオン／オフの利点は、干渉減少及びエネルギー節約を含む。特に、本発明は、ｅＮＢ不連続送信ＤＴＸ及びＵＥ  ＤＲＸを効果的に処理できる方法を議論する。
【００５９】
全体的に、ｅＮＢ観点から、ターンオフの（１）〜（４）の４つのレベルが考慮され得る。
【００６０】
（１）オフ状態でどの信号も送信されない完全遮断（ｔｏｔａｌ  ｓｈｕｔ  ｏｆｆ）
【００６１】
（２）同期及び測定信号送信：１次同期信号（ＰＳＳ：ｐｒｉｍａｒｙ  ｓｙｎｃｈｒｏｎｉｚａｔｉｏｎ  ｓｉｇｎａｌ）／２次同期信号（ＳＳＳ：ｓｅｃｏｎｄａｒｙ  ｓｙｎｃｈｒｏｎｉｚａｔｉｏｎ  ｓｉｇｎａｌ）／ＣＲＳまたはディスカバリ信号のような信号がＵＥ測定及びセル識別を補助するためにオフ−状態でも送信され得る。
【００６２】
（３）ディスカバリ信号＋ＤＲＸ、ページングのようなＲＲＣ＿ＣＯＮＮＥＣＴＥＤモードを支援するための任意の必要な信号：測定と関連して無線リンク失敗（ＲＬＦ：ｒａｄｉｏ  ｌｉｎｋ  ｆａｉｌｕｒｅ）に対する信号またはページングデータまたはＵＥ  ＤＲＸサイクルと整列されるＰＤＣＣＨのようなものは、ＲＲＣ＿ＣＯＮＮＥＣＴＥＤモードをＵＥ機能的に補助するためにオフ−状態で送信されることができる。ＲＲＣ＿ＣＯＮＮＥＣＴＥＤモードにおいて、ＲＲＣコンテキストが設定される。すなわち、ＵＥは、ＵＥが属する前記セルを知り、また、前記セルは、前記ＵＥのアイデンティティ（ｉｄｅｎｔｉｔｙ）を知り、前記セル無線−ネットワーク臨時識別子Ｃ−ＲＮＴＩは、前記ＵＥと前記ネットワークとの間にシグナリング目的のために使用される。したがって、ＲＲＣ＿ＣＯＮＮＥＣＴＥＤモードにおいて、データは、前記ＵＥから／に送信されることができるが、端末電力消費を減少させるためにＤＲＸが構成され得る。
【００６３】
（４）ディスカバリ信号＋ＲＲＣ＿ＣＯＮＮＥＣＴＥＤ及びＲＲＣ＿ＩＤＬＥモードＵＥを共に支援するための任意の信号を送信：このような場合において、上記の場合（３）において送信された前記信号だけでなく、送信システム情報／ＭＩＢが支援される。このような場合において、Ｄ２Ｄ（機器−対−機器）またはＭＢＭＳのような一部サービスがさらに支援され得る。ＭＢＭＳなどを支援するために、ＣＲＳの連続的な送信が要求される場合、前記セルは、ＣＲＳを連続的に送信することができる。信号等のサブセットがこのようなサービスを支援する必要がある場合、このような信号が選択的に送信される。ＲＲＣ＿ＩＤＬＥモードにおいて、ＲＲＣコンテキストが設定されず、前記ＵＥは、特定セルに属しない。前記ＵＥが前記時間のほとんどをスリープするので、データ送信は発生しない。ＲＲＣ＿ＣＯＮＮＥＣＴＥＤに移動を転換するために、上りリンク送信が行われ得る。
【００６４】
前記ターンオフの４つのレベル（１）−（４）に付加して、アドバンスドＵＥに対して（３）を支援し、レガシィＵＥに対する測定を支援するための他のオプションが存在する。このようなオプションにおいて、レガシィＵＥ測定を支援するために、ＣＲＳのような測定信号がさらに送信されなければならない。
【００６５】
本発明において、主な焦点は、オプション（２）及び（３）である。しかし、ここで提示されたこのような技法はさらに他のオプションに適用することができる。
【００６６】
ｅＮＢがＤＴＸを行う場合、受信機モジュールを消したり、消すことができるということがさらに仮定される。ｅＮＢが前記受信機モジュールを遮断する場合、ＵＥが前記ｅＮＢへの送信を中断できるようにＵＥに知られるであろう。シグナリングが存在しない場合、ｅＮＢが任意の時間に上りリンク信号を送信できるように、前記受信機モジュールを維持することをＵＥが仮定できる。
【００６７】
しかし、ＵＥは、前記上りリンクシグナリングに対応する下りリンクシグナリングを受信することを期待することができる。例えば、前記セルがオフ−状態である場合、ランダムアクセス応答（ＲＡＲ：ｒａｎｄｏｍ  ａｃｃｅｓｓ  ｒｅｓｐｏｎｓｅ）が前記ＵＥにより期待され得ない場合、ＵＥは、物理ランダムアクセスチャネル（ＰＲＡＣＨ：ｐｈｙｓｉｃａｌ  ｒａｎｄｏｍ  ａｃｃｅｓｓ  ｃｈａｎｎｅｌ）を送信することができる。また、前記セルがオフ−状態にある場合、ＰＲＡＣＨに対する応答を取得するためのレイテンシは、前記レイテンシが特定されることより大きいことができる。代案的に、ＵＥ上りリンク送信がある場合、前記ネットワークは、自動でフェイク−アップされ、ＵＥ上りリンク送信に応答する。
【００６８】
セルがセルオン／オフを行う場合、二重連結またはＣＡ能力を有するＵＥがオン／オフセルと連関され得るということが期待される。前記セルがオンまたはオフであるかをシグナリングする観点で、次のような１）〜６）のような一部メカニズムが考慮され得る。
【００６９】
１）ＵＥによる自動検出：ＣＲＳ及び／又はＰＤＣＣＨが前記サブフレームで検出されない場合、ＵＥが、セルがオフされたことと仮定することができる。代案的に、ＵＥは、（プリアンブルのような）オン周期の開始時間を指示するために、予め決定された信号（等）を検出することができる。ＵＥが前記信号を検出する場合、オン−状態で次のＴミリ秒の間、前記セルがオン−状態に留まることが仮定され得る。代案的に、前記セルの状態を決定するために、ＵＥは、全てのサブフレームでプリアンブルまたはＣＲＳのような信号を検出しなければならない。
【００７０】
２）セル連関に基づいて：ＵＥがセルと連関された場合、ＵＥは、前記セルがオン−状態であることを仮定できる。それとも、ＵＥは、前記セルがオフであると仮定しなければならない。特に、Ｐセルに対して、ＵＥは、前記セルがオン−状態であることと仮定できる。
【００７１】
３）セル活性化に基づいて：セルが活性化された場合、前記セルがオン−状態であることをＵＥが仮定できる。それとも、前記セルがオフされたこととＵＥは仮定することができる。前記ＵＥが１つ以上のＳセルで構成された場合、前記ネットワークは、前記構成されたＳセルを活性化または非活性化することができる。
【００７２】
前記Ｐセルは、常に活性化される。前記ネットワークは、活性化／非活性化ＭＡＣ制御要素を送信することにより、前記Ｓセル（等）を活性化し、非活性化する。また、前記ＵＥは、構成されたＳセル毎にｓＣｅｌｌＤｅａｃｔｉｖａｔｉｏｎＴｉｍｅｒを維持し、タイマーの満了時に前記連関されたＳセルを非活性化する。
【００７３】
同じ初期タイマー値が前記ｓＣｅｌｌＤｅａｃｔｉｖａｔｉｏｎＴｉｍｅｒのそれぞれの瞬間に適用され、ＲＲＣにより構成される。付加時に、またハンドオーバー後に、前記構成されたＳセルが初期に非活性化される。
【００７４】
それぞれのＴＴＩ及びそれぞれの構成されたＳセルに対して前記ＵＥは下記のように動作する。
【００７５】
前記Ｓセルを活性化するこのようなＴＴＩにおいて、前記ＵＥが活性化／非活性化ＭＡＣ制御要素を受信する場合、３ＧＰＰ  ＴＳ  ３６．２１１で定義されたタイミングによって前記ＵＥは前記ＴＴＩ内になければならない。前記Ｓセルを活性化するために、例えば、前記Ｓセル上にＳＲＳ送信、前記Ｓセルに対するＣＱＩ／ＰＭＩ／ＲＩ／ＰＴＩ報告、前記Ｓセル上にＰＤＣＣＨモニタリング、及び前記Ｓセルに対するＰＤＣＣＨモニタリングを含む正常Ｓセル動作を適用する。前記Ｓセルと連関された前記ｓＣｅｌｌＤｅａｃｔｉｖａｔｉｏｎＴｉｍｅｒを開始または再開始する。
【００７６】
それとも、前記Ｓセルを非活性化するこのようなＴＴＩ内において、前記ＵＥは、活性化／非活性化ＭＡＣ制御要素を受信する。
【００７７】
また、前記活性化されたＳセルと連関された前記ｓＣｅｌｌＤｅａｃｔｉｖａｔｉｏｎＴｉｍｅｒがこのようなＴＴＩ内で満了される場合である。このようなＴＴＩにおいて、前記Ｓセルは非活性化され、前記Ｓセルと連関された前記ｓＣｅｌｌＤｅａｃｔｉｖａｔｉｏｎＴｉｍｅｒは中断され、前記Ｓセルと連関された全てのＨＡＲＱバッファはフラッシュ（ｆｌｕｓｈ）される。
【００７８】
前記活性化されたＳセル上にＰＤＣＣＨが上りリンク確認応答または下りリンク割当を指示する場合；または前記活性化されたＳセルをスケジューリングする前記サービングセル上のＰＤＣＣＨが前記活性化されたＳセルに対する上りリンク確認応答または下りリンク割当を指示する場合である。前記Ｓセルと連関された前記ｓＣｅｌｌＤｅａｃｔｉｖａｔｉｏｎＴｉｍｅｒが再開始される。
【００７９】
前記Ｓセルが非活性化されれば、前記Ｓセル上にＳＲＳは送信されず、前記Ｓセルに対するＣＱＩ／ＰＭＩ／ＲＩ／ＰＴＩが報告されず、前記Ｓセル上にＵＬ−ＳＣＨが送信されず、前記Ｓセル上に前記ＰＤＣＣＨがモニタリングされず、前記Ｓセルに対する前記ＰＤＣＣＨがモニタリングされない。
【００８０】
４）明示的シグナリングに基づいて：ＵＥは、明示的シグナリングに基づいてセルがオンまたはオフされることを仮定できる。一例は、（オフからオンまたは反対に）セル状態の転換を指示するための新しいＭＡＣ  ＣＥまたはＲＲＣシグナリングを導入するものである。セル活性化／非活性化と類似して、前記セルの状態を指示するために、ＭＡＣ  ＣＥシグナリングが導入され得る。セルＯＮ−状態を指示するために、前記ＭＡＣ  ＣＥを受信するとき、オフ−状態表示が受信されるまで前記セルがオン−状態にあるとＵＥは仮定することができる。他の例は、前記セルが変更されたか否かを指示するためのＤＣＩのような動的シグナリングを利用するものである。明示的シグナリングが漏れる場合において、予め決定されたサブフレームのセットがオンであり、他のサブフレームはオフであるということをＵＥは仮定することができる。このために、ＳＩＢまたはＲＲＣシグナリングを介して、フォールバックオン−サブフレームが構成され得る。
【００８１】
５）セルＩＤまたはディスカバリ信号に基づいて：（オン状態及びオフ状態に対して相違した）状態毎にセルが相違したディスカバリ信号を使用する場合、自分のＩＤまたは信号を検出することにより、ＵＥは、前記セルの状態を決定することができる。「オン−状態」ディスカバリ信号を検出するとき、ＵＥがデータチャネルの読み取りを試みることができるということをＵＥが仮定できる。
【００８２】
６）ＤＲＸ構成に基づいて：ＵＥは、セルがＤＲＸ構成毎に「活性化状態」のみでオン−状態であることを仮定できる。
【００８３】
６）を除き、前記セルがオフ−状態である場合、ＵＥがＤＲＸサイクルで構成された場合がありうる。このような場合を処理する方法と関連して、我々は下記のように（ｉ）−（ｖ）のようないくつかの接近法を考慮することができる。
【００８４】
（ｉ）ＤＲＸサイクルは、セルオン／オフ状態にわたって上位優先順位を常に有する。すなわち、ＵＥは、それぞれのＤＲＸサイクルの活性化−状態でＰＤＣＣＨ／ＰＤＳＣＨを受信することを期待できる。任意のデータが送信されたか否かを知るためのＤＲＸプロトコル毎にＵＥは活性化状態をモニタリングするであろう。
【００８５】
（ii）ＤＲＸサイクルは、前記セルがオン−状態である場合にのみ効果的である。このような場合において、ＤＲＸサイクルの活性化−状態で、ＵＥが、前記セルがオフ−状態であることを知っている場合、任意の送信が起こらないことが分かる。したがって、このようなサブフレームでＰＤＣＣＨ／ＰＤＳＣＨをモニタリングするように要求されるものではない。ＤＲＸサイクル及びタイマが変化されないであろう。単に、前記ＵＥは、前記セルがＤＲＸサイクル当り、活性化−状態でオフ−状態である場合、前記サブフレーム内にＰＤＣＣＨ／ＰＤＳＣＨをモニタリングするように要求されるものではない。
【００８６】
（iii）ＤＲＸは、オン／オフセルで構成されない。このような場合において、ＵＥは、ＤＲＸサイクルで構成されるにもかかわらず、セルオン／オフを構成するセルに対して任意の構成されたＤＲＸサイクルをＵＥが無視しなければならない。ＵＥが、Ｐセル及びＳセルがセルオン／オフを行うＳセルで構成された場合、ＤＲＸがＰセルのみで適用される。前記ＵＥが前記セルの状態を知らない場合において、これは特に有用である。それにもかかわらず、前記セルがオン／オフを行うか否かを知る必要がある。前記セルがオン／オフを行う場合の情報は、測定構成または他の上位層シグナリングを介してＵＥで構成されることができる。セルがオン／オフセルで常時−オンセルで自分の状態を変化させる場合、前記情報は、再構成されるか、またはアップデートされることができる。
【００８７】
このようなオプションは、ＵＥがＤＲＸオフ及び／又はオン期間の間、任意の信号を発見できないので、非免許帯域搬送波に対して特に有用であり、ＵＥは、（Ｅ）ＰＤＣＣＨを受信するための任意の信号を発見できない場合がある。このような場合を処理するために、ＵＥは、（構成されるならば）ＤＲＸ構成が非免許搬送波（等）に適用されないということを仮定することができる。前記構成のみによって下りリンクチャネルをモニタリングすることが要求されないことが仮定され得る。
【００８８】
（iv）Ｓセルまたは助力する（ａｓｓｉｓｔｉｎｇ）ｅＮＢでＤＲＸを用いるか否かが構成され得る。用いることと構成されるならば、ＵＥは、ＤＲＸを構成するように許される。このようなオプションにおいて、セル状態に関するＵＥ知識に依存して、前記セルがオフ−状態である場合、ＵＥがＤＲＸオン−期間を無視することがさらに仮定され得る。また、ＤＲＸが構成されるならば、ＵＥは、ＤＲＸ動作が前記セルにより支援されるということを仮定できるであろう。
【００８９】
（ｖ）ＵＥがＣＡまたは二重連結を支援する場合、相互−ＣＣスケジューリングを利用してオン／オフを行うＳセルを介してＰＤＳＣＨ／ＰＵＳＣＨが送信され得るだけでなく、ＳセルＤＲＸに対してＵＥがＰセルでＰＤＣＣＨをモニタリングしなければならないことが仮定され得る。ＵＥが相互−ＣＣスケジューリングを支援する場合、ＵＥは、相互−層スケジューリングに基づいて、ＳセルＤＲＸサイクルに対してＤＲＸ活性−状態でＰセルまたはマクロｅＮＢ  ＰＤＣＣＨをモニタリングするように構成される上位層にありうる。このような接近法は、ＵＥ等のＤＲＸサイクルを支援するために、オフ−状態でＰＤＣＣＨを送信するためにセルオン／オフを行うセルを強制しないので、有用であろう。それにもかかわらず、前記セルがＵＥに以前に知られない活性化状態にある場合、前記シグナリングがＰセル／マクロｅＮＢを介して送信され得る。このような場合において、Ｐセル及びＳセル（または、マクロｅＮＢ及び支援するｅＮＢ）は共にＰＤＣＣＨを送信し、また、ただＳセル（または、支援するｅＮＢ）が、ＵＥがＰセルでＰＤＣＣＨを検出しない場合を回避するために、少なくとも一部サブフレームでＰＤＳＣＨを送信する。ＵＥが相互−サブフレームスケジューリングを利用することが自体的にスケジューリングされたＰＤＣＣＨを検出する場合、ＤＲＸに復帰するときを決定するための非活性化タイマー（ｉｎａｃｔｉｖｉｔｙＴｉｍｅｒ）を稼動することを始め、また、Ｓセル上でＰＤＣＣＨをモニタリングすることを始める。
【００９０】
このようなオプションは、非免許帯域搬送波に対して有用であろう。非免許帯域でＤＲＸサイクルを支援しない代りに、非免許帯域でＤＲＸをさらに適用できることに対し、非免許帯域搬送波自体でＤＲＸオン周期または活性化時間で信号が存在するであろうということが仮定されてはならない。このような場合において、例えば、図７に一部技術が提示される−Ｐセルを介してのただ非免許帯域搬送波（等）を介してオン周期／ＰＤＣＣＨがモニタリングされ得る。これは、セルフ−スケジューリングが非免許帯域搬送波に対して構成される場合にもかかわらず、適用されることができる。
【００９１】
図７は、上記の（ｖ）場合の例を提示する。図７の上記例において、ＳセルＰＤＳＣＨ／ＰＵＳＣＨに対してＰＤＣＣＨがさらにＰセルで送信され得る場合に、Ｐセルは、常にＰＤＣＣＨを送信する。ＰＤＣＣＨをオン−状態で一応検出すれば、ＵＥは、次のサブフレームで始まるＳセルＰＤＣＣＨをモニタリングすることができる。
【００９２】
代案的に、Ｐセルで送信されるＤＣＩは、Ｓセル活性化の指示子として用いられることができる。前記ＤＣＩが、Ｓセルが活性化されることを一応指示すれば、前記ＵＥは、Ｓセル上にモニタリングを始めなければならない。
【００９３】
（vi）セルＤＴＸと整列されたＵＥ  ＤＲＸ：このような例において、セルと連関された全てのＵＥなどは、セルＤＴＸサイクルと整列される１つのＤＲＸサイクルで構成されることができる。前記ＤＴＸサイクルにおいて、前記タイマーリセットがセル−特定ＤＴＸサイクルであるため、ＵＥ−特定ＤＲＸと多少相違し得る場合、ＵＥは、オン−期間でＰＤＣＣＨをモニタリングすることができる。オン−期間が続くか否かを決定するために、ＵＥは、（ＣＥＬＬ−ＯＮ−ＲＮＴＩのような）新しいＲＮＴＩを用いてＰＤＣＣＨまたはＣＲＳまたはＣ−ＲＮＴＩを用いてＰＤＣＣＨを検出することができる。
【００９４】
ＵＥが新しいＲＮＴＩを用いてＰＤＣＣＨを検出する場合、非活性化タイマーが満了されるまでセルが活性化されるであろうということをＵＥは仮定することができる。このような新しいＲＮＴＩがセル−特定またはグループ−特定でありうるし、これは、構成される上位層でありうる。ＵＥがＣＲＳに基づいてセルの活性化を検出する場合、信頼度が減少され得るし、ＵＥ間において非整列でありうる。このような影響を最小化するために、オン−周期は、ＵＥがＣＲＳまたはＰＤＣＣＨを検出するための少なくとも一部機会を有することができる少なくとも数ミリ秒でありうる。ＵＥがＤＲＸ及びＤＴＸ間において非整列を許すために、（最大セルオフタイマーのような）期間に対して有効なＣＲＳまたはＰＤＣＣＨを受信しないＵＥは、非整列であることを仮定することができ、また、ＰセルまたはマクロｅＮＢに状態を表示するか、またはＲＬＦをトリガーする。
【００９５】
このようなオプションは、動的オン／オフ動作または連続的な送信を指示するために非免許帯域で使用され得る。このようなオプションは、送信間に遊休時間またはバック−オフ期間にマッピングされ得る上位層構成されたオフ時間で前記搬送波の状態を決定するために、ＣＲＳ／ＰＤＣＣＨのようなＵＥブラインド検出に基づく。ｅＮＢがＥＵ規定を守る必要がある場合、送信が発生しない場合、次の送信以前に特定時間を待機する必要がある。したがって、前記チャネルがリッスン−ビフォー−トークＬＢＴに基づいて取得された場合、前記セルが信号を送信する場合、ＤＲＸ／ＤＴＸサイクルが制約等とともに構成され得る。このようなオプションが支援される場合、免許及び非免許搬送波グループ間に別個のＤＲＸを構成することが必要でありうる。
【００９６】
オプションが利用されるかとは関係なく、オフ−状態のセルをＵＥは仮定すべきであるか、またはＵＥがＤＲＸ状態である場合、ディスカバリシグナリング（セル同期／識別信号及び／又は測定信号）及びＰＭＣＨ、Ｄ２Ｄ関連信号ＰＲＳを除き、任意の信号を受信することを期待してはならない。
【００９７】
ページングを処理するために、また、ページングがオン／オフセルに伝達され得るか、またはページングがＰセルまたはセルオン／オフを行わない他のＳセルまたはＲＲＣ連結を利用する前記セルにより処理され得る類似した接近法が可能でありうる。オン／オフを行うセルがＣＡまたは二重連結の能力がない少なくとも１つのＵＥを有する場合、前記セルは、セル状態と関係なく、ページングを支援するか、または地震及び津波警告システムＥＴＷＳまたはコミュニティモデリング及び分析ＣＭＡＳに対して制限された機能が支援されるこのような場合において、システムでページングをディセーブルすることができ、したがって、このようなアプリケーションを支援するＵＥ等と連関されないことができる。また、ＣＡまたは二重連結能力がないＵＥを支援しないことがさらに好ましいことができる。また、前記ページングが支援される場合、前記セルオン／オフ周期と整列され得る新しいページングサイクルがさらに考慮され得る。
【００９８】
測定を介してのＵＥ行動の観点で、ディスカバリ信号がＵＥ測定に使用され得ると仮定することは、下記の（Ａ）及び（Ｂ）のようにカテゴリー化され得る。
【００９９】
（Ａ）ディスカバリ信号に常に基づくＵＥ測定：セル状態と関係なく、ＵＥは、ディスカバリ信号に基づいて無線資源管理ＲＲＭ測定を行わなければならない。ＣＳＩ測定の観点で、ＰＭＩ−ＲＩ−ｏｆｆである場合、ＣＳＩを測定するように構成されるサブフレームでＣＲＳが利用可能であるということが仮定されなければならない。例えば、ＣＳＩ０が測定のために用いられる場合、ＣＳＩ０はＣＲＳを伴う。
【０１００】
（Ｂ）セルがオン−状態でない場合にのみディスカバリ信号を利用するＵＥ：ＵＥが前記セルの状態を知る場合、前記測定正確度を向上させるための情報を利用できる。例えば、セルオン／オフに基づいた活性化／非活性化が用いられる場合、前記ＵＥは、活性化されたＳセル及び／又はＰセルがＯＮ−状態であることを知っている。このような場合において、ＵＥは、活性化されたＳＣｅｌｌ及び／又はＰＣｅｌｌに関する自分の測定に対してレガシィＣＲＳを用いることができる。
【０１０１】
ＵＥが自分の測定のためにディスカバリ信号のみを利用するか、または前記セルのオン−状態に関するレガシィ測定（または、さらに隣接した測定への）信号を利用できるか否かが構成され得るということがさらに可能である。構成の一メカニズムは、前記セルＩＤの外部の他のセルがレガシィ信号に基づくことができるように、セルのリストを自分の測定に対するディスカバリ信号で構成されるものである。また、構成されるならば、ＵＥは、セルがオン−状態である場合、２つのタイプの測定を報告しなければならない。隣接するセルに対して、異なるように構成されない限り、測定に基づいたディスカバリ−信号が仮定される。構成されるならば、ＵＥは、ＰＳＳ／ＳＳＳ／ＣＲＳのようなレガシィ信号に基づいて付加的な報告を報告することができる。
【０１０２】
スタンド−アロンオン／オフ動作について、下記の動作が考慮され得る。
【０１０３】
無線リンクモニタリング
無線リンクモニタリングに関する現在の要求事項は、次のとおりである：非−ＤＲＸモード動作において、前記ＵＥでの物理層は、３ＧＰＰ  ＴＳ  ３６．３２１、３６．１０１または３６．１０４（以下では、３ＧＰＰ  ＴＳ  ３６．３２１、３６．１０１または３６．１０４は、本出願において「前記参照等」として呼ばれる）で定義される以前の時間周期にわたって参照等での関連されたテストにより定義される臨界値（Ｑｏｕｔ及びＱｉｎ）に対して評価される、全ての無線フレームに対する前記無線リンク品質を評価しなければならない。ＤＲＸモード動作において、前記ＵＥでの前記物理層は、前記参照等での関連されたテストにより定義される臨界値（Ｑｏｕｔ及びＱｉｎ）に対して、前記参照等で定義される前記以前の時間周期にわたって評価される、全てのＤＲＸ周期のうち、少なくとも１つで前記無線リンク品質を評価しなければならない。上位−層シグナリングが制限された無線リンクモニタリングのための特定サブフレームを指示する場合、前記無線リンク品質は、指示されるサブフレームでない、任意のサブフレームでモニタリングされてはならない。前記臨界値Ｑｏｕｔより劣化される場合、上位層にアウト−オブ−シンクを指示するために、前記無線リンク品質が評価される場合、前記ＵＥでの前記物理層が無線フレームになければならない。前記無線リンク品質が前記臨界値Ｑｉｎより優れた場合、前記ＵＥでの前記物理層は、前記無線リンク品質がイン−シンクを表示することと評価される場合、無線フレームになければならない。
【０１０４】
このような要求事項が維持された場合、ＵＥがＤＲＸで構成されない場合、前記セルがオフされ得るか、ｅＮＢは、ＵＥに前記要求事項が下記のようにａｌｔ１〜ａｌｔ３の３つの代案のうち、１つに変更されることを通知できる。
【０１０５】
（ＵＥが状態を知る場合）Ａｌｔ１。非−ＤＲＸモード動作及び／又は前記セルがオフ−状態でない場合、前記ＵＥでの前記物理層は、前記参照等で関連されたテストにより定義された臨界値（Ｑｏｕｔ及びＱｉｎ）に対して、前記参照で定義される前記以前の時間周期にわたって評価される、全ての無線フレームに前記無線リンク品質を評価しなければならない。
【０１０６】
（ＲＬＭが構成され得る）Ａｌｔ２。ＵＥが非−ＤＲＸモード動作で無線リンクモニタリングＲＬＭを行うように構成された場合、前記ＵＥでの前記物理層は、前記参照等で関連されたテストにより定義された臨界値（Ｑｏｕｔ及びＱｉｎ）に対して、〔００１０〕で定義される前記以前の時間周期にわたって評価される、全ての無線フレームに前記無線リンク品質を評価しなければならない。このような場合において、非−ＤＲＸモードでの全てのサブフレームがオン−状態であることと仮定される。
【０１０７】
（ＲＬＭサブフレームが構成され得る）Ａｌｔ３。非−ＤＲＸモード及び無線リンクモニタリングを行うように構成されたサブフレームにおいて、前記ＵＥでの前記物理層は、前記参照等で関連されたテストにより定義された臨界値（Ｑｏｕｔ及びＱｉｎ）に対して、〔００１０〕で定義される前記以前の時間周期にわたって評価される、全ての無線フレームに前記無線リンク品質を評価しなければならない。
【０１０８】
ＵＥがＤＲＸで構成され、本発明でリストされるオプションのうち、一部が適用される場合、ＵＥは、セルオン／オフを行う前記セルに関する無線リンクモニタリングを行うように構成されるか、または要求され、（Ａ）〜（Ｆ）の前記オプションのうち、１つが下記のように用いられ得る。
【０１０９】
ＤＲＸに対して、オプション（Ａ）が用いられ得る場合：ＤＲＸモード動作において、前記ＵＥ内の前記物理層は、前記参照等で関連されたテストにより定義された臨界値（Ｑｏｕｔ及びＱｉｎ）に対して、前記参照等で定義される前記以前の時間周期にわたって評価される、全ての無線フレームに前記無線リンク品質を評価しなければならない。
【０１１０】
ＤＲＸに対して、オプション（Ｂ）が用いられ得る場合：ＤＲＸモード動作において、前記ＵＥ内の前記物理層は、前記参照等で関連されたテストにより定義された臨界値（Ｑｏｕｔ及びＱｉｎ）に対して、前記参照等で定義される前記以前の時間周期にわたって評価される、全てのＤＲＸ周期のうち、少なくとも１つでセルがオン−状態である場合、前記無線リンク品質を評価しなければならない。
【０１１１】
前記セルがオン−状態である場合にのみＤＲＸエピソードをカウントするために周期が変更され得るということが注目される。したがって、前記セルがセルオン／オフを行う場合、前記レイテンシが変更され得るし、また、セルが頻繁なオン／オフを行う場合、前記レイテンシが増加され得る。
【０１１２】
ＤＲＸに対して、オプション（Ｃ）が用いられ得る場合：ＤＲＸモード動作において、ＵＥは、ＤＲＸモード動作を無視し、非−ＤＲＸモード動作毎に無線リンクモニタリングを行う。
【０１１３】
ＤＲＸに対して、オプション（Ｄ）が用いられ得る場合：ＤＲＸモード動作において、ＵＥが前記セルでのイネーブルされたＤＲＸモード動作で構成された場合、下記のように、（ａ）または（ｂ）、それとも、（ｃ）のようなＤＲＸモード動作にしたがう。
【０１１４】
（ａ）ＤＲＸモード動作において、前記ＵＥ内の前記物理層は、前記参照等で関連されたテストにより定義された臨界値（Ｑｏｕｔ及びＱｉｎ）に対して、前記参照等で定義される前記以前の時間周期にわたって評価される、全てのＤＲＸ周期のうち、少なくとも１つで前記無線リンク品質を評価しなければならない。
【０１１５】
（ｂ）ＤＲＸモード動作において、前記ＵＥ内の前記物理層は、前記参照等で関連されたテストにより定義された臨界値（Ｑｏｕｔ及びＱｉｎ）に対して、前記参照等で定義される前記以前の時間周期にわたって評価され、セルがオン−状態である場合、ＤＲＸ周期毎のうち、少なくとも１つで前記無線リンク品質を評価しなければならない。
【０１１６】
（ｃ）ＤＲＸモード動作において、ＵＥは、ＤＲＸモード動作を無視し、非−ＤＲＸモード動作毎に無線リンクモニタリングを行う。
【０１１７】
ＤＲＸに対して、オプション（Ｅ）が用いられ得る場合：ＤＲＸモード動作において、前記ＵＥでの前記物理層は、前記参照等で関連されたテストにより定義された臨界値（Ｑｏｕｔ及びＱｉｎ）に対して、前記参照等で定義される前記以前の時間周期にわたって評価され、セルがオン−状態である場合、全てのＤＲＸ周期のうち、少なくとも１つで前記無線リンク品質を評価しなければならない。また、ＤＲＸモード動作において、前記ＵＥでの前記物理層は、無線リンクモニタリングを行うことができない。
【０１１８】
ＤＲＸに対して、オプション（Ｆ）が用いられ得る場合：ＤＲＸモード動作において、前記ＵＥでの前記物理層は、無線リンクモニタリングを行うことができない。
【０１１９】
代案的に、無線リンクモニタリングは、オフ及びオン状態で送信され得る測定信号及びディスカバリ信号に全的に基づいて行われ得る。
【０１２０】
また、ＵＥがＤＲＸで構成され、前記セルがセルオン／オフを行うことができるかが分かる場合、ＤＲＸ動作及びＤＲＸサイクルで前記セルが測定信号を送信できないことが仮定される。したがって、任意の時間に測定を行うことができないことが仮定されなければならないことではない。
【０１２１】
また、ＵＥが、前記セルがオン／オフを行うことができるということを知る場合、全てのサブフレームでＰＤＣＣＨをモニタリングすることが強制され得るということではない。却って、前記セルを活性化させるか、または前記セルを連関させることにより、ＵＥが前記活性化状態を知る場合、ＰＤＣＣＨモニタリングが行われるように構成されるサブフレームのみで強制されることが仮定されなければならない。
【０１２２】
データ送信がある／ないオン−状態でのＣＲＳ送信
復調参照信号ＤＭ−ＲＳを有するサブフレームのような特定サブフレームでＣＲＳを送信することが必要でない場合があるため、小型セルでＣＲＳ送信を減少させるための追加的な最適化が考慮され得る。複数の構成を利用して、全てのサブフレームにＵＥは、ＣＲＳが下記の構成に基づいて送信されるか否かを決定できる。
【０１２３】
（１）ＵＥがＤＲＸで構成されないか、またはＤＲＸ構成毎に現在サブフレームがオン周期（例えば、活性化サブフレーム）である場合：
Ａ．ＵＥがＥＰＤＣＣＨで構成され、現在サブフレームがサブフレームセットをモニタリングするＥＰＤＣＣＨ（例えば、ＰＤＣＣＨモニタリングサブフレーム）の部分でない場合、ＵＥは、ＣＲＳが少なくとも２つの１番目のＯＦＤＭシンボルを提示するであろうということを仮定しなければならない。
【０１２４】
i．ＵＥがＣＲＳ−基盤送信モードで構成された場合：現在サブフレームが構成毎にＭＢＳＦＮサブフレームでない場合、ＵＥは、ＣＲＳが全体サブフレームを介して提示されるであろうということを仮定しなければならない。それとも、単に２つの１番目のＯＦＤＭシンボルがＣＲＳを伴うであろう。
【０１２５】
ii．ＵＥが送信モードに基づいてＤＭ−ＲＳで構成される場合、前記現在サブフレームが制限された測定サブフレームセットの一部でない場合、単に２つの１番目のＯＦＤＭシンボルがＣＲＳを伴うであろうということが仮定されなければならない。ＵＥが制限された測定サブフレームセットに属する場合、ＵＥは、ＣＲＳが前記全体サブフレームを介して提示されるであろうということが仮定されなければならない。
【０１２６】
Ｂ．ＵＥがＥＰＤＣＣＨで構成され、前記現在サブフレームがサブフレームセットをモニタリングするＥＰＤＣＣＨの部分である場合、
【０１２７】
ｉ．ＵＥが前記現在サブフレーム内で共通−探索−空間ＤＣＩまたはＰ−ＲＮＴＩ、ＳＩ−ＲＮＴＩ、ＲＡ−ＲＮＴＩ、スクランブルされたＤＣＩを受信することと期待される場合、少なくとも２つの２番目のＯＦＤＭシンボルがＣＲＳを伴うであろうということが仮定されなければならない。
【０１２８】
ii．ＵＥがＣＲＳ−基盤送信モードで構成される場合：前記現在サブフレームが構成毎にＭＢＳＦＮサブフレームでない場合、ＰＤＳＣＨ領域内にＣＲＳが少なくとも存在するであろうということをＵＥは仮定しなければならない。
【０１２９】
iii．ＵＥがＤＭ−ＲＳ基盤送信モードで構成された場合、前記現在サブフレームが前記制限された測定サブフレームセットに属する場合、ＵＥは、ＣＲＳが前記全体サブフレームを介して提示されるであろうということを仮定しなければならない。
【０１３０】
（２）ＵＥがＤＲＸで構成され、ＤＲＸ構成毎に前記現在サブフレームがオン期間（例えば、活性化サブフレーム）でない場合：ＵＥは、ＣＲＳが前記サブフレームに存在するであろうということを仮定してはならない。
【０１３１】
（３）他の場合において、ＵＥは、特定ＯＦＤＭシンボルまたはサブフレームでＣＲＳが存在するであろうということを仮定してはならない。
【０１３２】
非免許帯域搬送波において、下記のような条件、例えば、（ａ）〜（ｆ）のうち、１つまたは一部が下記のように満たされるサブフレームのサブセットでＣＲＳが送信されるであろうということが仮定され得る。
【０１３３】
（ａ）  ＵＥは、ＣＲＳ−基盤送信モードで構成され、前記サブフレームは、ＭＢＳＦＮサブフレームで構成されない。
【０１３４】
（ｂ）  ＵＥは、前記サブフレームでモニタリングＰＤＣＣＨで構成される。
【０１３５】
（ｃ）  ＵＥは、前記サービングセルに対してＰＭＣＨをデコードするように構成される。
【０１３６】
（ｄ）  ＵＥは、前記サービングセルからＤ２Ｄ関連構成を受信するように構成される。
【０１３７】
（ｅ）  前記サブフレームは、ＤＲＳサブフレームの部分である。
【０１３８】
（ｆ）  前記サブフレームは、ＣＲＳを伴うサブフレームとして上位層により構成される。
【０１３９】
セルオン／オフを利用するＳセルプロセスの活性化／非活性化
セルがＳセル活性化／非活性化命令を介してターンオンされるか、オフされる場合、我々は、セルオン／オフ手順を補助するために、Ｓセル活性化／非活性化のタイミングを若干変更することができる。
【０１４０】
ＵＥが（ＦａｓｔＣｅｌｌＯｎＯｆｆＡｃｔｉｖａｔｅｄが真で構成される場合のような）速いセル活性化／非活性化で構成される場合、ＵＥは、次のような動作を仮定しなければならない：ＵＥがサブフレームで２次セルに対する参照等、活性化命令を受信する場合、前記参照等での対応する動作は、〔００１０〕で定義される最小限の要求事項より遅くないように、また、次の２つの動作の（１）及び（２）を除き、上位層により構成される前記レイテンシＴより速くないように適用されなければならない。（１）前記動作は、ＣＳＩ報告と関連され、（２）前記動作は、サブフレームｎ＋Ｔ（ｎは、整数）で適用されなければならない前記参照等、前記２次セルと連関された前記ｓセル非活性化タイマー（ｓＣｅｌｌＤｅａｃｔｉｖａｔｉｏｎＴｉｍｅｒ）と関連される。Ｔが構成されない場合、基本値は、８にならなければならないことに注目しよう。また、Ｔは、８より大きくなければならないことに注目しよう。小さな値が構成されるならば、ＵＥは、前記構成を無視し、Ｔは、Ｔ＝８に設定する。Ｔが前記参照等で定義される前記最小要求事項より大きい場合、Ｔは、上位優先順位を有するので、活性化は、Ｔより速くないように発生するであろう。ＵＥが２次セルに対する前記参照、非活性化命令を受信する場合または前記２次セルと連関された前記ｓセル非活性化タイマーがサブフレームｎで満了される場合、前記参照等で前記対応する動作がＣＳＩ報告を含み、サブフレームｎで適用されなければならない。
【０１４１】
Ｔの値で構成された上位層を有する同期は、ＭＡＣ  ＣＥ遅延に付加され得る８ミリ秒（ＭＡＣ  ＣＥ遅延）より大きいことができるバックホール遅延である場合、バックホール手順を介して発生されるセルフェイク−アップ手順を許すものである。「瞬時的な」非活性化の理由は、小型セルの速いターンオフ手順を許すものである。
【０１４２】
セルオン／オフを有するスーパーＳセルプロセスの活性化／非活性化
活性化／非活性化手順を介して支援するｅＮＢをアドレスバックホールレイテンシに付着（ａｔｔａｃｈ）する場合、非活性化メッセージは、レイテンシ値をさらに伴うことができる。上記においてリストされた活性化／非活性化手順と相違してＵＥが非活性化される場合、ＵＥは、活性化及び非活性化間に共有され得るレイテンシＴでさらに構成されることができる。レイテンシが非活性化手順にさらに適用される場合、前記手順は、次のようであろう：ＵＥが２次セルに対する前記参照、非活性化命令を受信するか、または前記２次セルと連関されたｓセル非活性化タイマーがサブフレームｎ（ｎは、整数）で満了される場合、前記参照での前記対応する動作は、サブフレームｎ＋Ｔで適用されなければならず、ここで、Ｔは、ＣＳＩ報告を含む上位層で構成されたレイテンシ値である。
【０１４３】
このような手段により、ＳｅＮＢは、セルオフを予約し、また、前記予約された時間で直ちに前記セルをターンオフする。
【０１４４】
物理マルチキャストチャネル（ＰＭＣＨ）受信
搬送波がＳセルまたはスーパーＳセルまたはＰセルとして活性化されない限り、ＰＭＣＨ受信が発生するサブフレームでｅＮＢがＣＲＳ及び／又はＰＤＣＣＨを送信できるとＵＥは仮定してはならない。すなわち、ＵＥは、前記セルが活性化されたサービングセルでない限り、ＰＤＣＣＨ／ＣＲＳがＭＢＳＦＮサブフレームで送信されるであろうということを仮定してはならない。
【０１４５】
このような場合において、（ＳＩＢ１／２、ＳＩＢ１３のような）ＭＢＭＳ−関連されたＳＩＢを伴うサブフレームがＣＲＳ／ＰＤＣＣＨを送信できるということをＵＥは依然として仮定することができる。また、追跡が必要なため、ＣＲＳのような追跡信号の送信がさらに仮定される。
【０１４６】
より具体的には、前記ＵＥ行動を変化させずに、ネットワークがセルによる周波数でのＭＢＭＳサービスの意図を指示する場合、前記周波数でＭＢＭＳを支援するセルがターンオフされないことをＵＥが期待できるということが仮定され得る。したがって、ＵＥは、前記セルからのレガシィ信号を読み取ることが期待できる。
【０１４７】
これは、ディスカバリ信号測定が構成される場合でも特に重要である。ディスカバリ信号測定が構成されるにもかかわらず、ＵＥは、前記セルがＭＢＭＳサービスを指示する場合、前記セルがＯＮ状態を維持していることを仮定できるということが期待される。したがって、ＵＥは、前記セルからの信号を期待することができる。すなわち、前記セルが非活性化されたＳセルであるにもかかわらず、前記セルに対するＰＭＣＨをデコードするために上位層により構成された場合、前記セルがＯＮ−状態を維持することをＵＥは期待できる。
【０１４８】
同様に、機器−対−機器Ｄ２Ｄ動作に対して、ネットワークが前記周波数でＤ２Ｄ動作を指示する場合、前記ネットワークがセル活性化／非活性化と関係なく、セルオン／オフを行わないことをＵＥは仮定できる。したがって、Ｄ２Ｄ動作が前記セルにより構成された場合、ＵＥは、特定信号を仮定することができる。
【０１４９】
しかし、ＭＢＭＳ、ＣＲＳ／ＰＤＣＣＨ送信でも、非免許帯域が仮定され得ないことが注目に値する。却って、非免許帯域搬送波自体から取得される代わりに、免許搬送波またはＰセルを介してＭＢＭＳ−関連構成が伝達され得る。非免許帯域搬送波でＭＢＳＦＮ構成と関係なく、ＭＢＭＳサービスが任意のサブフレームで発生され得るということがさらに注目に値する。
【０１５０】
ＭＢＳＦＮ構成
これから、セルがオフ−状態の間、オン／オフ動作を行うことができるので、セルは、ＭＢＭＳに対してＭＢＳＦＮサブフレームのような全てのサブフレームを活用することができる。したがって、ＭＢＳＦＮサブフレーム構成は、無線フレームで全てのサブフレームをカバーするように拡張されることができる。少なくともオフ−状態または非免許帯域搬送波、全てのサブフレームがＭＢＭＳ送信のために使用され得る。ＵＥ観点から、搬送波が活性化された場合、ＭＢＳＦＮサブフレームに対して全てのサブフレームが活用されないことができる。
【０１５１】
このような場合において、付加的なＭＢＳＦＮサブフレーム構成は、必要であれば、上位層シグナリングを介して構成されることができる。
【０１５２】
それとも、ＦＤＤでサブフレーム＃０／＃４／＃５／＃９が下りリンクデータ送信またはＣＲＳ送信のために予約されることをＵＥが仮定できるか、またはＦＤＤでサブフレーム＃０／＃５がＣＲＳ送信のために予約されることをＵＥが仮定でき、ＳＩＢまたは上位層シグナリングを介してＭＢＳＦＮサブフレーム構成が異なるように指示されるにもかかわらず、前記搬送波が活性化される場合、このような予約されたサブフレームがＭＢＳＦＮサブフレームに対して用いられないことができる。
【０１５３】
ＴＤＤに対して、サブフレーム＃０／＃１／＃５／＃６がＣＲＳのために予約され得るか、サブフレーム＃０／＃５が可能性のある（ｐｏｔｅｎｔｉａｌ）ＣＲＳ送信のために予約され得る。さらに、ＭＢＳＦＮ構成に関係なく、ディスカバリ信号送信のためのサブフレームがＭＢＳＦＮサブフレームでないということをＵＥが仮定できる。セルがオフ−状態である場合、ＭＢＳＦＮサブフレームに対して全てのサブフレームが用いられ得ると仮定され得るそのような場合において選択的にＭＢＳＦＮサブフレーム構成は省略されることができる。
【０１５４】
ディスカバリ信号スクランブルシーケンス
密集された小型セル環境を許すために、クラスタＩＤ及びセルＩＤが結合されて使用され得るような層的な形態でセルＩＤの個数を増加させるのが好ましい。例えば、セルＩＤの１０ビットの代りに、ＩＤの１４ビットが使用され得るし、ここで、クラスタＩＤ（４ビット）＋ｃｅｌｌ  ＩＤ（１０ビット）が使用され得る。
【０１５５】
このような意図は、任意のＵＥ観点及び／又は前記ネットワーク観点から固有のＩＤを生成することである。ＵＥがＩＤに基づいて測定結果を報告し、また、分離されたクラスタを介しての予め−用意されることの不足に起因する同じセルＩＤを有することができるセルを前記ネットワークが区分できなければならないだけでなく、前記ネットワーク観点から固有のＩＤを有することが重要である。
【０１５６】
すなわち、セルＩＤは、クラスタ内で用いられることができ、クラスタＩＤは、固有のＩＤを割り当てるための前記クラスタにわたって用いられることができる。これは、セルが密集して配置され、ＵＥ−中心仮想セル形成に対して同じセルＩＤを使用するセルオン／オフシナリオとともに特に重要である。また、ディスカバリ信号は、サブフレームナンバーまたはＳＦＮの知識がなくてもＵＥに送信され得るので、スクランブルは、スロットまたはサブフレームまたは無線フレームナンバー無しでも発生され得る。ディスカバリ信号に対するＣＳＩ−ＲＳを用いるスクランブリングシーケンスの初期化の一例は、ＭＴＨ  １のとおりである。
【０１５７】
【数１】
2016535510.tif 000003
【０１５８】
セルオン／オフの明示的指示の考慮
明示的シグナリングが用いられる場合、周期性及びフォールバックイッシュと連関された一部イッシュが考慮される必要がある。例えば、明示的シグナリングは、（サブフレーム＃０、＃５のような）固定されたサブフレームのセットで５ミリ秒／１０ミリ秒毎に送信されることができる。
【０１５９】
例えば、Ｐセルからの相互−搬送波スケジューリングまたはＳセルからセルフ−スケジューリングを介しての明示的なＤＣＩが送信され得る。セル−共通ＤＣＩが用いられる場合、セル−共通探索空間ＣＳＳを活用することが良いので、Ｐセルからの相互−搬送波スケジューリングを仮定することが考慮され得る。
【０１６０】
オン／オフ指示ＤＣＩが漏れる場合、フォールバック行動を定義することが必要である。簡単な１つの接近法は、有効なＤＣＩが与えられた指示サブフレームで成功裏に検出されない場合、全てのサブフレームが「オフ」であるということが仮定される。他の接近法は、全てのサブフレームが「オン」であるということが仮定される。代案的に、オン／オフ動作／ＤＣＩと関係なく、サブフレームのセットが「オン」に仮定され得る。
【０１６１】
オン／オフ指示がＰセルから送信される場合、Ｓセル情報を含む必要がある。１つの接近法は、セルＩＤ及びオン／オフパターンのビットマップ、またはセルが定義される必要があるオン／オフ指示ＤＣＩ間にマッピングを含めることである。向上した干渉管理及びトラフィック適応（ｅＩＭＴＡ：ｅｎｈａｎｃｅｄ  ｉｎｔｅｒｆｅｒｅｎｃｅ  ｍａｎａｇｅｍｅｎｔ  ａｎｄ  ｔｒａｆｆｉｃ  ａｄａｐｔａｔｉｏｎ）と類似するように、多重搬送波に対するオン／オフが適用され得るので、搬送波当り、オン／オフ指示は、（多重搬送波に対するオン／オフ指示を含む）オン／オフ指示ＤＣＩの順序間にマッピング及び前記セルが上位層により構成され得るそれぞれの搬送波当り、１または２ビットでありうる。
【０１６２】
ビットマップが使用される場合、オン／オフ指示と関係なく、サブフレーム＃０／＃５が「オン」に仮定され得る周期性のオン／オフ指示が５ミリ秒毎に送信される場合、ビットマップの４個のビットが考慮され得る。オン／オフを行うことができるそれぞれの搬送波当り、４個のビットがＤＣＩを介して送信され得る。
【０１６３】
ＤＣＩ漏れの場合でも、ＰＨＩＣＨ−予定されたサブフレームが「オン」−サブフレームであると依然としてＵＥは仮定することができる。非免許帯域において、ＵＥは、全てのサブフレームが潜在的にオフであると仮定することができる。ＵＥがＰＵＳＣＨを送信する場合、対応する下りリンクサブフレーム（ＰＨＩＣＨ−サブフレーム）は、オン／オフ指示と関係なく、オンサブフレームであると仮定される。
【０１６４】
予め決定された／上位層構成されたサブフレームがオン／オフ指示と関係なく、「オン」であると仮定される場合、前記ＵＥは、ディスカバリ信号のような他の手段または制限された測定を介して他の方式で構成されない限り、そのようなサブフレームのみでＲＲＭ測定を行うことができる。また、他の方式で構成されない限り、そのようなサブフレームでＲＬＭが行われることがさらに仮定され得る。
【０１６５】
図８は、本出願での本発明（等）に係るＵＥの動作の例示を簡略に記述するフローチャートである。
【０１６６】
図８に示すように、前記ＵＥは、ステップＳ８１０において下りリンクチャネル上でセルから信号を受信する。ここで、前記セルは、オン−オフを行うことができる。前記セルがオフ−状態である場合、前記ＵＥは、前記セルからディスカバリ信号を含む信号を受信することができる。
【０１６７】
前記ＵＥは、以前に記述された方法のうち、１つを利用してオフ−状態またはオン−状態であるか否かを決定できる。前記ＵＥが、前記セルがオフ−状態であることと決定する場合、前記ＵＥは、前記セルがオフ−状態であることを考慮して、前記信号（例えば、ディスカバリ信号）に関して処理することができる。
【０１６８】
前記受信された信号が、セルオン／オフに対する決定及び仮定及びセルオン／オフを考慮するプロセスが限定的に記述された。
【０１６９】
前記ＵＥは、ステップＳ８２０において上りリンクチャネル上に信号を送信する。前記ＵＥは、前記セルがオフ−状態であるか否かに関する前記決定に基づいて信号を送信することができる。これに関する詳細な技術は、以前に提供されたとおりである。
【０１７０】
図９は、本出願で本発明（等）に係るｅＮＢ（ＢＳ）の動作の例示を簡略に記述するフローチャートである。
【０１７１】
図９に示すように、前記ｅＮＢは、ステップＳ９１０において上りリンクチャネル上でＵＥから信号を受信する。ここで、前記ｅＮＢは、セルオン／オフを行うことができる。前記ｅＮＢは、前記ＵＥから参照信号を用いて測定に関する報告等のような信号を受信することができる。
【０１７２】
しかし、前記セルは、オフ−状態でありうる。
【０１７３】
前記ｅＮＢは、ステップＳ９２０において下りリンクチャネル上で前記ＵＥに信号を送信する。前記ｅＮＢがオフ−状態である場合、前記ｅＮＢは、以前に記述されたように、予め決定された条件下で信号を送信できる。前記ｅＮＢは、シグナリングにより前記ＵＥに（例えば、オフ−状態またはオン−状態で）自分の状態を通知するか、または前記ｅＮＢの状態がブラインド検出により前記ＵＥに指示され得る。付加的に、前記ｅＮＢからの前記信号は、送信されるチャネル、シグナリングタイプ、シグナリングタイミング、シグナリングの数、前記信号内の情報などで制限され得る。細部事項は、以前に記述されたことと同様である。
【０１７４】
図１０は、ＵＥ（１０００）及びＢＳ（ｅＮＢ）（１０４０）を含む無線通信システムを簡略に記述するブロック図である。前記ＵＥ（１０００）及び前記ＢＳ（１０４０）は、上述されたような技術に基づいて動作できる。
【０１７５】
下りリンクの観点で、送信機は、前記ＢＳ（１０４０）の部分でありうるし、受信機は、前記ＵＥ（１０００）の部分でありうる。上りリンクの観点で、送信機は、前記ＵＥ（１０００）の部分でありうるし、受信機は、前記ＢＳ（１０４０）の部分でありうる。
【０１７６】
図１０に示すように、前記ＵＥ（１０００）は、プロセッサ１０１０、メモリ１０２０、及び無線周波数ＲＦユニット１０３０を備えることができる。
【０１７７】
前記プロセッサ１０１０は、本出願で記述され、提案された手順及び／又は方法を実現するために構成され得る。例えば、前記プロセッサ１０１０は、信号、ブラインド検出などに基づいて、前記ＢＳ（セル）がオフ−状態であるか、またはオン−状態であるかの可否を決定できる。前記プロセッサ１０１０は、前記ＢＳがオフ−状態でありうるという考慮の下で測定を行うことができる。前記プロセッサ１０１０に関する詳細な記述は、以前に記述された前記ＵＥの動作の多くの部分で同様である。
【０１７８】
前記メモリ１０２０は、前記プロセッサ１０１０と結合され、データ情報及び／又は制御情報を含む、前記プロセッサ１０１０を駆動するための様々な情報を保存する。
【０１７９】
前記ＲＦユニット１０３０は、前記プロセッサ１０１０とさらに結合される。前記ＲＦユニット１０３０は、無線信号を送信及び／又は受信することができる。前記信号がオフ−状態で前記ｅＮＢから送信される場合、前記信号は、ディスカバリ信号を含むことができる。
【０１８０】
前記ＢＳ（１０４０）は、プロセッサ１０５０、メモリ１０６０、及びＲＦユニット１０７０を備えることができる。ここで、前記ＢＳは、ＰセルまたはＳセルでありうるし、また、前記ＢＳは、マクロセルまたは小型セルでありうる。敷衍して、前記ＢＳは、ネットワーク同期のためのソースセルであるか、ネットワーク同期のためのターゲットセルでありうる。
【０１８１】
前記プロセッサ１０５０は、本出願で提示され、提案された手順及び／又は方法を実現するように構成されることができる。例えば、前記プロセッサ１０５０は、セルオン／オフを行うことができる。前記プロセッサ１０５０は、前記ｅＮＢ（セル）がオフ−状態である場合、特定条件下で信号を送信／受信することができる。例えば、前記ｅＮＢがオフ−状態である場合にのみ、前記ｅＮＢは、ディスカバリ信号を送信することができる。細部事項は、本出願で以前に既に記述された。
【０１８２】
前記メモリ１０６０は、前記プロセッサ１０５０と結合され、データ情報及び／又は制御情報を含む、前記プロセッサ１０５０を駆動するための様々な情報を保存する。前記ＲＦユニット１０７０は、前記プロセッサ１０５０とさらに結合される。前記ＲＦユニット１０７０は、無線信号を送信及び／又は受信することができる。前記ＲＦユニット１０７０を介して送信されるか、または受信される前記信号は、以前に記述された。
【０１８３】
前述されたシステムにおいて、前記方法は、一連の前記ステップまたは前記ブロックを用いる前記フローチャートに基づいて記述されたにもかかわらず、本発明は、前記一連の前記ステップに限定されるものではなく、前記ステップの一部は残りのステップから相違したシーケンスで行われ得るか、または前記残りのステップと同時に行われ得る。また、前述された実施形態は、様々な例示の様相を含む。したがって、本発明は、請求項等の範囲内に属するあらゆる他の変更、変形、変化を含むものと解析されなければならない。
【０１８４】
本発明に関する明細書において、一要素が他の要素と「連結」または「結合」されることと述べられた場合、前記一要素は、前記他の要素と直接連結されるか、または結合されることができるが、２つの要素間に第３の要素が存在できるものと理解されるべきである。対照的に、一要素が前記他の要素と「直接連結」または「直接結合」に述べられた場合、前記２つの要素間に第３の要素が存在しないものと理解されるべきである。
【図１】
2016535510.tif 000004
【図２】
2016535510.tif 000005
【図３】
2016535510.tif 000006
【図４】
2016535510.tif 000007
【図５】
2016535510.tif 000008
【図６】
2016535510.tif 000009
【図７】
2016535510.tif 000010
【図８】
2016535510.tif 000011
【図９】
2016535510.tif 000012
【図１０】
2016535510.tif 000013
【手続補正書】
【提出日】平成28年5月9日(2016.5.9)
【手続補正１】
【補正対象書類名】特許請求の範囲
【補正対象項目名】全文
【補正方法】変更
【補正の内容】
【特許請求の範囲】
【請求項１】
無線通信システムにおいて受信された信号を用いて測定を行うための方法であって、
前記方法は、ユーザ装置（ＵＥ）で行われ、
前記ＵＥがセル上でマルチメディアブロードキャスト／マルチキャストサービス（ＭＢＭＳ：Ｍｕｌｔｉｍｅｄｉａ  Ｂｒｏａｄｃａｓｔ／Ｍｕｌｔｉｃａｓｔ  Ｓｅｒｖｉｃｅ）を受信するように構成されるか否かを決定し、前記セルは、オン状態及びオフ状態間をスイッチするステップと、
前記ＵＥが前記セル上で前記ＭＢＭＳを受信するように構成されていない場合、前記セルからディスカバリ信号を受信し、前記ＵＥは、前記オフ状態と連関した期間、前記ディスカバリ信号以外の、セル識別または無線資源測定のために使用される任意の信号を受信しないステップと、
前記ディスカバリ信号を用いて測定を行うステップと、
を含む、測定実行方法。
【請求項２】
前記ディスカバリ信号は、前記セル識別及び前記無線資源測定のために使用される、請求項１に記載の測定実行方法。
【請求項３】
前記ＵＥは、前記セル上で前記ＭＢＭＳを受信するように構成される場合、前記ＵＥは、前記期間、セル特定基準信号（ＣＲＳ：ｃｅｌｌ  ｓｐｅｃｉｆｉｃ  ｒｅｆｅｒｅｎｃｅ  ｓｉｇｎａｌ）を受信しない、請求項１に記載の測定実行方法。
【請求項４】
前記ＵＥは、前記セル上で前記ＭＢＭＳを受信するように構成される場合、前記ＵＥは、前記期間、物理下りリンク制御チャンネル（ＰＤＣＣＨ：ｐｈｙｓｉｃａｌ  ｄｏｗｎｌｉｎｋ  ｃｏｎｔｒｏｌ  ｃｈａｎｎｅｌ）を受信しない、請求項１に記載の測定実行方法。
【請求項５】
前記セルからの上位層信号は、前記ＵＥが前記セル上で前記ＭＢＭＳを受信するように構成されるか否かを指示する、請求項１に記載の測定実行方法。
【請求項６】
無線通信システムにおいて受信された信号を用いて測定を行うためのユーザ装置（ＵＥ）であって、
信号を受信する無線周波数（ＲＦ）ユニットと、
前記無線周波数ユニットと連結され、
前記ＵＥがセル上でマルチメディアブロードキャスト／マルチキャストサービス（ＭＢＭＳ：Ｍｕｌｔｉｍｅｄｉａ  Ｂｒｏａｄｃａｓｔ／Ｍｕｌｔｉｃａｓｔ  Ｓｅｒｖｉｃｅ）を受信するように構成されるか否かを決定し、前記セルは、オン状態及びオフ状態間をスイッチし、
前記ＵＥが前記セル上で前記ＭＢＭＳを受信するように構成されていない場合、前記セルからディスカバリ信号を受信し、前記ＵＥは、前記オフ状態と連関した期間、前記ディスカバリ信号以外の、セル識別または無線資源測定のために使用される任意の信号を受信せず、
前記ディスカバリ信号を用いて測定を行うように構成されるプロセッサを備える、ユーザ装置。
【請求項７】
前記ディスカバリ信号は、前記セル識別及び前記無線資源測定のために使用される、請求項６に記載のユーザ装置。
【請求項８】
前記ＵＥは、前記セル上に前記ＭＢＭＳを受信するように構成される場合、前記ＵＥは、前記期間、セル特定参照信号（ＣＲＳ：ｃｅｌｌ  ｓｐｅｃｉｆｉｃ  ｒｅｆｅｒｅｎｃｅ  ｓｉｇｎａｌ）を受信しない、請求項６に記載のユーザ装置。
【請求項９】
前記ＵＥは、前記セル上に前記ＭＢＭＳを受信するように構成される場合、前記ＵＥは、前記期間、物理下りリンク制御チャンネル（ＰＤＣＣＨ：ｐｈｙｓｉｃａｌ  ｄｏｗｎｌｉｎｋ  ｃｏｎｔｒｏｌ  ｃｈａｎｎｅｌ）を受信しない、請求項６に記載のユーザ装置。
【請求項１０】
前記セルからの上位層信号は、前記ＵＥが前記セル上に前記ＭＢＭＳを受信するように構成されるか否かを指示する、請求項６に記載のユーザ装置。
【国際調査報告】
2016535510.tif 000014
2016535510.tif 000015